(57)【要約】【課題】用紙束を載置して用紙束に綴じ孔を形成する位置と用紙束を綴じる位置とに移動する移送台を備えた用紙綴じ機に、中空状のドリルビットを備えた穿孔ドリルを使用可能とする。【解決手段】綴じ孔を形成する穿孔装置と、左右の綴じ孔にステープルの左右脚部を挿通して該脚部を折曲げることで用紙束を綴じる綴じ装置と、用紙束を載置して綴じ孔を形成する位置と用紙束を綴じる位置とに移動する移送台とを備え、穿孔装置は、中空状のドリルビットが取付けられ且つ下降することで移送台上の用紙束に綴じ孔を形成する穿孔ドリルと、用紙束の下面側に位置して綴じ孔の穿孔時に穿孔ドリルからの荷重を受けるドリル受けとを備え、ドリル受けを、移送台の下方に位置する退避位置と、穿孔ドリルによって綴じ孔を形成する際に上昇して移送台に設けた挿通穴を介して用紙束の下面にドリル受けが接当する受け位置とに、穿孔ドリルの昇降に連動して移動自在とする。【選択図】図２２
2014097635.tif 000002
【特許請求の範囲】
【請求項１】
左右一対の脚部の上端同士をクラウン部で連結してなるステープルによって用紙束を綴じる用紙綴じ機であって、
ステープルの左右の脚部を用紙束に通すべく該用紙束に左右一対の綴じ孔を形成するための穿孔装置と、左右の綴じ孔にステープルの左右の脚部をそれぞれ挿通した後に各脚部を折り曲げることにより用紙束を綴じる綴じ装置と、用紙束を載置して用紙束に綴じ孔を形成する位置と用紙束を綴じる位置とに移動する移送台とを備え、
前記穿孔装置は、中空状のドリルビットが取り付けられ且つ昇降自在に支持されていて下降することにより移送台上の用紙束に綴じ孔を形成する穿孔ドリルと、用紙束の下面側に位置して穿孔ドリルによって用紙束に綴じ孔を形成する際に穿孔ドリルからの荷重を受けるドリル受けとを備え、
前記移送台に挿通穴を設け、
前記ドリル受けを昇降自在に支持すると共に、該ドリル受けを、移送台の下方に位置する退避位置と、穿孔ドリルによって綴じ孔を形成する際に上昇して前記挿通穴を介して用紙束の下面にドリル受けが接当する受け位置とに、穿孔ドリルの昇降に連動して移動自在としたことを特徴とする用紙綴じ機。
【請求項２】
前記ドリル受けを、支持フレームに上下揺動自在に支持された揺動フレームに設けることで昇降自在とし、且つ該ドリル受けは、軸心が縦向きの円柱状を呈すると共に軸心回りに一方向にのみ回転するように揺動フレームに設けられた受板ホルダと、この受板ホルダの上面側に設けられていてドリルビットが接当する受け板とを有し、
前記受板ホルダの下面に係合歯を周方向に沿って列設すると共に、該係合歯に噛合する噛合部を有する送り部材を前記支持フレームに設け、
前記ドリル受けが下降する際に受板ホルダをホルダ回転方向に所定角度回転させるように送り部材によって受板ホルダが押動され、且つドリル受けが上昇する際には係合歯に対する噛合部の噛み合い位置がホルダ回転方向後方側へと変わるように、送り部材を前記支持フレームに揺動自在に枢支したことを特徴とする請求項１に記載の用紙綴じ機。
【請求項３】
支持フレームに上下揺動自在に支持された揺動フレームに前記ドリル受けを設け、前記揺動フレームに被押圧ローラを設け、穿孔ドリルと一体的に昇降するローラ押動部材を設け、
穿孔ドリルが下降する際に、前記ローラ押動部材の下端が被押圧ローラに接当して該被押圧ローラを押し下げることにより揺動フレームが上方揺動し、且つドリル受けが前記受け位置に位置すると被押圧ローラがローラ押動部材を転動するよう構成したことを特徴とする請求項１又は２に記載の用紙綴じ機。
【請求項４】
ドリル受けが前記受け位置にあるときに、前記被押圧ローラとでローラ押動部材を挟むバックアップ部材を設けたことを特徴とする請求項３に記載の用紙綴じ機。
【発明の詳細な説明】
【技術分野】
【０００１】
本発明は、左右一対の脚部の上端同士をクラウン部で連結してなるステープルによって用紙束を綴じる用紙綴じ機に関するものである。
【背景技術】
【０００２】
左右一対の脚部の上端同士をクラウン部で連結してなるステープルによって用紙束を綴じる用紙綴じ機として、特許文献１に記載された用紙綴じ機がある。
この用紙綴じ機は、ステープルの左右の脚部を通すための左右一対の綴じ孔を用紙束に形成するための穿孔装置と、左右の綴じ孔に左右の脚部をそれぞれ挿通した後に各脚部を折り曲げることにより用紙束を綴じる綴じ装置と、用紙束を載置して用紙束に綴じ孔を形成する位置と用紙束を綴じる位置とに移動する移送台とを備えている。
【０００３】
前記穿孔装置は、単一のモータと、該モータの動力がベルト伝動機構によって伝達されることによって上下軸回りに駆動される左右一対の回転スリーブと、各回転スリーブと一体回転自在で且つ回転スリーブに対して昇降自在な左右一対の旋回軸と、左右各旋回軸の下端部に取り付けられたドリルビットとを有する。前記ドリルビットは中実丸棒から形成されている。
【先行技術文献】
【特許文献】
【０００４】
【特許文献１】実開昭５８−４７４１８号公報
【発明の概要】
【発明が解決しようとする課題】
【０００５】
前記従来の用紙綴じ機にあっては、綴じ孔を形成するドリルビットが中実丸棒から形成されているので、綴じ孔を形成する際に粉状の穿孔屑（切削屑）が生じる。従来の用紙綴じ機にあっては、綴じ孔を形成する際に生じる穿孔屑を吸引する吸引装置が設けられているが、この吸引装置がコスト高を招く。
そこで、中空状のドリルビットによって綴じ孔を形成する穿孔ドリルを採用し、綴じ孔を形成する際に生じる穿孔屑が粉状の穿孔屑とはならず容易に収集できると共に、穿孔装置を安価に形成することができる用紙綴じ機を提供することが考えられている。
【０００６】
この中空状のドリルビットを取り付けた穿孔ドリルによって用紙束に綴じ孔を形成する場合、用紙束の下面側に、穿孔ドリルからの荷重を受けるドリル受けを設けないと用紙束に綴じ孔を良好に穿孔することができない。
しかしながら、用紙束を載置して用紙束に綴じ孔を形成する位置と用紙束を綴じる位置とに移動する移送台を備えた用紙綴じ機において、移送台に、挿通穴を形成し、この挿通穴を介してドリル受けの受け面を接当させると、ドリル受けが移送台の左右移動の邪魔物となるという問題が生じる。
【０００７】
そこで、本発明は、前記問題点に鑑み、用紙束を載置して用紙束に綴じ孔を形成する位置と用紙束を綴じる位置とに移動する移送台とを備えた用紙綴じ機に、中空状のドリルビットを備えた穿孔ドリルを使用することができる用紙綴じ機を提供することを課題とする。
【課題を解決するための手段】
【０００８】
前記技術的課題を解決するために本発明が講じた技術的手段は、以下に示す点を特徴とする。
請求項１に係る発明では、左右一対の脚部の上端同士をクラウン部で連結してなるステープルによって用紙束を綴じる用紙綴じ機であって、
ステープルの左右の脚部を用紙束に通すべく該用紙束に左右一対の綴じ孔を形成するための穿孔装置と、左右の綴じ孔にステープルの左右の脚部をそれぞれ挿通した後に各脚部を折り曲げることにより用紙束を綴じる綴じ装置と、用紙束を載置して用紙束に綴じ孔を形成する位置と用紙束を綴じる位置とに移動する移送台とを備え、
前記穿孔装置は、中空状のドリルビットが取り付けられ且つ昇降自在に支持されていて下降することにより移送台上の用紙束に綴じ孔を形成する穿孔ドリルと、用紙束の下面側に位置して穿孔ドリルによって用紙束に綴じ孔を形成する際に穿孔ドリルからの荷重を受けるドリル受けとを備え、
前記移送台に挿通穴を設け、
前記ドリル受けを昇降自在に支持すると共に、該ドリル受けを、移送台の下方に位置する退避位置と、穿孔ドリルによって綴じ孔を形成する際に上昇して前記挿通穴を介して用紙束の下面にドリル受けが接当する受け位置とに、穿孔ドリルの昇降に連動して移動自在としたことを特徴とする。
【０００９】
請求項２に係る発明では、前記ドリル受けを、支持フレームに上下揺動自在に支持された揺動フレームに設けることで昇降自在とし、且つ該ドリル受けは、軸心が縦向きの円柱状を呈すると共に軸心回りに一方向にのみ回転するように揺動フレームに設けられた受板ホルダと、この受板ホルダの上面側に設けられていてドリルビットが接当する受け板とを有し、
前記受板ホルダの下面に係合歯を周方向に沿って列設すると共に、該係合歯に噛合する噛合部を有する送り部材を前記支持フレームに設け、
前記ドリル受けが下降する際に受板ホルダをホルダ回転方向に所定角度回転させるように送り部材によって受板ホルダが押動され、且つドリル受けが上昇する際には係合歯に対する噛合部の噛み合い位置がホルダ回転方向後方側へと変わるように、送り部材を前記支持フレームに揺動自在に枢支したことを特徴とする。
【００１０】
請求項３に係る発明では、支持フレームに上下揺動自在に支持された揺動フレームに前記ドリル受けを設け、前記揺動フレームに被押圧ローラを設け、穿孔ドリルと一体的に昇降するローラ押動部材を設け、
穿孔ドリルが下降する際に、前記ローラ押動部材の下端が被押圧ローラに接当して該被押圧ローラを押し下げることにより揺動フレームが上方揺動し、且つドリル受けが前記受け位置に位置すると被押圧ローラがローラ押動部材を転動するよう構成したことを特徴とする。
【００１１】
請求項４に係る発明では、ドリル受けが前記受け位置にあるときに、前記被押圧ローラとでローラ押動部材を挟むバックアップ部材を設けたことを特徴とする。
【発明の効果】
【００１２】
本発明によれば、以下の効果を奏する。
ドリル受けを昇降自在に支持すると共に、該ドリル受けを、移送台の下方に位置する退避位置と、穿孔ドリルによって綴じ孔を形成する際に上昇して移送台に形成した挿通穴を介して用紙束の下面にドリル受けの受け面を接当させる受け位置とに、穿孔ドリルの昇降に連動して移動自在とすることにより、ドリル受けを退避位置にすることで移送台を左右移動させることができると共に、綴じ孔を穿孔する際にはドリル受けを用紙束の下面に接当させることができ、用紙束を載置して用紙束に綴じ孔を形成する位置と用紙束を綴じる位置とに移動する移送台とを備えた用紙綴じ機に、中空状のドリルビットを備えた穿孔ドリルを使用することができる。
【図面の簡単な説明】
【００１３】
【図１】正面カバー及び側面カバーを外した状態の用紙綴じ機の正面斜視図である。
【図２】（ａ）は用紙綴じ機の正面図、（ｂ）は用紙綴じ機の側面図である。
【図３】ステープル連結体の正面斜視図である。
【図４】（ａ）はステープル連結体の正面図、（ｂ）はステープル連結体の側面図である。
【図５】（ａ）はステープル連結体の平面図、（ｂ）はステープル連結体の底面図である。
【図６】（ａ）は隣接するステープルのクラウン部の平面拡大図、（ｂ）はＸ部の拡大図、（ｃ）はＹ−Ｙ線矢視断面図である。
【図７】カバーケース及び移送台の正面斜視図である。
【図８】（ａ）はカバーケースの天板の平面図、（ｂ）は目隠しカバーの平面図である。
【図９】カバーケース及び移送台の側面断面図である。
【図１０】（ａ）は移送台の平面図、（ｂ）は移送台を下から見た背面斜視図である。
【図１１】移送台駆動装置の平面斜視図である。
【図１２】位置決めセンサの取付部分の正面斜視図である。
【図１３】移送台がホーム位置にある状態の平面図である。
【図１４】移送台が第１移送位置にあるときの平面図である。
【図１５】移送台が第２移送位置にあるときの平面図である。
【図１６】用紙押え装置の正面斜視図である。
【図１７】用紙押え装置の背面斜視図である。
【図１８】用紙押え装置の背面図である。
【図１９】用紙押え装置の側面断面図である。
【図２０】用紙押え装置の平面図である。
【図２１】穿孔装置の正面斜視図である。
【図２２】穿孔装置の要部の側面一部断面図である。
【図２３】穿孔装置の要部の背面斜視図である。
【図２４】ドリル受け装置の側面図である。
【図２５】ドリル受け装置の分解斜視図である。
【図２６】ドリル受け装置の綴じ孔の穿孔前の状態を示す側面断面図である。
【図２７】（ａ）は受板ホルダの底面斜視図、（ｂ）は受板ホルダの底面図である。
【図２８】ドリル受け装置の綴じ孔を穿孔した状態を示す側面断面図である。
【図２９】ドリル受けの動作を示す側面図である。
【図３０】綴じ装置の正面斜視図である。
【図３１】ステープル保持装置の正面斜視図である。
【図３２】ステープル保持装置の背面図である。
【図３３】ステープル載置台、スライド台、規制体等の組図の正面斜視図である。
【図３４】ステープル載置台、スライド台、ステープル送り部材の分解斜視図である。
【図３５】ステープル載置台等の側面断面である。
【図３６】取付フレーム、規制体の分解斜視図である。
【図３７】ステープル受けでステープルを受けている状態を示す正面図である。
【図３８】図３７のＥ−Ｅ線矢視断面図である。
【図３９】ステープル受けの正面斜視図である。
【図４０】ステープル挿通装置の正面斜視図である。
【図４１】ステープル挿通装置の背面斜視図である。
【図４２】ステープル挿通装置の一部省略平面図である。
【図４３】ステープル保持部材とステープル押下げ部材の背面斜視図である。
【図４４】ステープル挿通装置の側面断面図である。
【図４５】ステープル挿通装置の側面断面拡大図である。
【図４６】ステープル保持部材の動作を示す背面図であって、（ａ）はステープル保持部材がホーム位置に位置する状態を示し、（ｂ）はステープル保持部材がステープルに外嵌する途中を示し、（ｃ）はステープルがステープル保持部材に没入した状態を示す。
【図４７】（ａ）はステープル保持部材がステープルに外嵌する途中を示す側面図、（ｂ）はステープルがステープル保持部材に没入した状態を示す側面図である。
【図４８】（ａ）は綴じ待機位置にあるステープルが切り離された状態を示す側面図、（ｂ）はステープル受けが退避した状態を示す側面図である。
【図４９】（ａ）はステープルの脚部を綴じ孔に挿入する前の状態を示す側面断面図、（ｂ）はステープルの脚部を綴じ孔に挿入した状態を示す側面断面図である。
【図５０】脚部曲げ装置の正面斜視図である。
【図５１】（ａ）は可動ブラケットの正面斜視図、（ｂ）は可動ブラケットの背面斜視図である。
【図５２】ローラ、ローラブラケット及びバネの分解斜視図である。
【図５３】脚部曲げ装置の正面図である。
【図５４】脚部曲げローラの移動動作を示す平面図である。
【図５５】（ａ）は移送台がホーム位置に位置する状態の挿通穴部分の平面図、（ｂ）はＺ−Ｚ線矢示断面である。
【図５６】ステープルの脚部の折曲げ動作を示す概略正面図である。
【発明を実施するための形態】
【００１４】
以下、本発明の実施の形態を図面を参照して説明する。
図１において、符号１は、図３及び図４に示す、左右一対の脚部２の上端同士をクラウン部３で連結してなるステープル４によって伝票等の用紙束５（多数の用紙を上下方向に積み重ねたもの）を綴じる用紙綴じ機である。
図１に示すように、この用紙綴じ機１は、綴じられる用紙束５にステープル４の脚部２を挿通させるための綴じ孔６（図２８参照）を形成する穿孔装置７と、用紙束５に綴じ孔６を形成する際及びステープル４で用紙束５を綴じる際等において用紙束５が動かないように用紙束５を押さえる用紙押え装置８と、ステープル４によって用紙束５を綴じる綴じ装置９と、用紙束５を載置して左右方向に移動することで用紙束５を移送する移送台１０とを有する。
【００１５】
穿孔装置７と綴じ装置９とは左右方向に並べて配置されている。本実施形態では、穿孔装置７の右側に綴じ装置９が配置されている。穿孔装置７と綴じ装置９の前方下部側にはカバーケース１１が設けられ、前記移送台１０は、このカバーケース１１の上方に配置されていて、左右方向に移動することにより用紙束５を穿孔装置７と綴じ装置９とに移送可能としている。
【００１６】
また、この用紙綴じ機１は、図１及び図２に示すように、ベース部材１２と、穿孔装置７及び綴じ装置９の後方を覆う背面カバー１３と、穿孔装置７及び綴じ装置９の前方を覆う正面カバー１４と、左右の側面カバー１５とを有する。左側の側面カバー１５は穿孔装置７の左側面を覆い、右側面カバー１５は綴じ装置９の右側面を覆う。
正面カバー１４の下部は、用紙束５の載置や用紙押え装置８の操作やステープル４の装填等が行えるように開放状とされている。左右の側面カバー１５の前下部はＬ字形に切り欠かれている。
【００１７】
この用紙綴じ機１に使用されるステープル４の本体部分は、例えば、硬質繊維ボードからなる紙製であり、該ステープル４の本体部分は、図３〜図６に示すように、左右一対の脚部２と、この左右脚部２の上端同士を連結するクラウン部３とからなる。また、左右の脚部２は下方に向かうに従って左右方向外方（対向方向外方）に移行する傾斜状（ハの字状）とされていて、左右脚部２の左右間隔が下方に向けて漸次拡大するように形成されている。
【００１８】
左右各脚部２の対向面（内面）の下部には、図４（ａ）において符号Ａで示す範囲で、接着剤が施されている。ステープル４は、厚さに比べて前後幅が大きいものが採用され、例えば、厚さ：１ｍｍ、前後幅：５ｍｍに形成される。また、例えば、脚部２の長さが略７５ｍｍ、クラウン部３の長さが略８０ｍｍのものが採用される。この例のステープル４にあっては、最大で５０ｍｍ、最小で１０ｍｍの厚さの用紙束５を綴じることができる。
【００１９】
このステープル４は単独で綴じ装置９に装填されるのではなく、図３に示すように、ステープル４を前後方向に多数（例えば２０本前後）並設すると共に隣接ステープル４のクラウン部３同士を相互に切離し可能に連結してなるステープル連結体１７にして綴じ装置９に装填される。
本実施形態のステープル４にあっては、ステープル連結体１７の先頭のステープル４から最後尾のステープル４にわたって両面テープを貼着することにより、ステープル４の脚部２の対向面下部に接着剤が施されている。なお、両面テープの、ステープル４に貼り付けられていない側に設けられた剥離紙１８は、綴じ装置９に装填する前に剥離され、保管時、搬送時（流通時）は付けたままとされる。
【００２０】
本実施形態のステープル連結体１７は次のようにして形成される。先ず、紙製の平板状板材をカットすることにより、ステープル連結体１７を展開した状態のステープル展開体を形成し、このステープル展開体を折り曲げることにより、前述したステープル連結体１７を形成している。両面テープは平板状板材をカットする前に貼り付けられる。
図６に示すように、隣接するステープル４のクラウン部３同士は、連結部１９によってごく一部が連結され、その他は相互に切り離されている。
【００２１】
連結部１９は、図６（ａ）において矢視Ｂで示すように、左右方向中央、及び左右両側に設けられ、上方からの加圧によってクラウン部３が該クラウン部３に隣接するクラウン部３から容易に切り離すことができるようになっている。
隣接するステープル４の脚部２同士は相互に切り離されている。また、両面テープにあっては、接着剤はカットされており、剥離紙１８はカットされていない。したがって、接着剤の接着力によって隣接するステープル４の脚部２同士が相互にくっついた状態となっており、これにより、形状を保持しつつ、相互離反が容易に行えるよう構成されている。
【００２２】
なお、ステープル４を形成する材料としては、紙のほか、バルカナイズドファイバー、熱可塑性合成繊維、生体吸収性高分子、樹脂、金属等であってもよい。後述するように、ステープル４の左右脚部２がクラウン部３から垂直下方に延出した状態となるように（左右脚部２がハの字状からコ字状になるように）、クラウン部３と脚部２との間のコーナー部分で脚部２が弾性変形可能であると共に、ステープル４の脚部２を脚部曲げローラ２３６で折り曲げることで塑性変形するものであればよい。
【００２３】
前記カバーケース１１は、図７に示すように、天板２１と、前板２２と、左右の側板２３とを有し、下方及び後方に開放状とされている。前板２２及び左右側板２３はベース部材１２に取付固定され、天板２１は、前板２２及び左右側板２３に固定されている。前板２２の右側上部には、用紙綴じ機１の運転を開始させるための運転スイッチ２４が設けられている。
【００２４】
前記天板２１は、上壁２１ａと、上壁２１ａの前縁から下方に延出する前壁２１ｂと、上壁２１ａの左右両側から下方に延出する側壁２１ｃと、上壁２１ａの後縁から上方に延出する後壁２１ｄとを有する。
この天板２１の上壁２１ａには、図８（ａ）に示すように、後部の左右方向中央部から左側寄りには円形状のドリル受け用開口２５が形成され、該後部の左右方向中央部分から右側にわたって左右に長いローラ通行穴２６が形成されている。
【００２５】
また、天板２１の上壁２１ａには、これらドリル受け用開口２５とローラ通行穴２６との前方に位置し且つ左右方向に長い連結部材通行穴２７が前後一対形成されていると共に、これら前後の連結部材通行穴２７の間で且つ左右方向中央部分に枢支用孔２８が形成されている。
さらに、天板２１の上壁２１ａには、前記連結部材通行穴２７の左右両側にそれぞれガイド孔２９が形成され、各ガイド孔２９は前記枢支用孔２８を中心とする円弧状に形成されている。
【００２６】
図７及び図９に示すように、カバーケース１１の天板２１の上壁２１ａの下面には目隠しカバー３０が配置されている。
この目隠しカバー３０は、図８（ｂ）に示すように、天板２１の上壁２１ａの一方のガイド孔２９下方位置から他方のガイド孔２９の下方位置にわたって設けられる主要部分３０ａと、この主要部分３０ａの右側から後方に延出された後方延出部３０ｂとを有する。
【００２７】
前記主要部分３０ａの左右方向中央部分には、前記枢支用孔２８の下方に位置する枢軸取付孔３１が形成されており、枢支用孔２８を挿通して該枢軸取付孔３１にネジからなる枢軸３２（図１３参照）を螺合することによって、目隠しカバー３０が天板２１に枢支用孔２８を中心として揺動自在に取り付けられている。
また、目隠しカバー３０の左右両側には、前記天板２１のガイド孔２９の下方に位置するネジ取付孔３２が形成され、前記ガイド孔２９を挿通して前記ネジ取付孔３２に取付ネジ３３（図１３参照）が螺合されており、これによって、取付ネジ３３がガイド孔２９内を移動する範囲で目隠しカバー３０が枢支用孔２８回りに揺動自在とされている。
【００２８】
また、目隠しカバー３０には、前記枢軸取付孔３１の前後に位置していて前記天板２１の前後の連結部材通行穴２７に上下方向で対応する位置に設けられた前後一対のガイド溝３３が形成されている。
各ガイド溝３３は左右方向に長く、且つ、長手方向（左右方向）中央部分が前側に向けて凸となるように長手方向中央部分で屈曲されている。
【００２９】
前記移送台１０は、図９及び図１０に示すように、用紙束５が載置される載置壁３４と、この載置壁３４の後縁から上方に延設された後壁３５と、この後壁３５の背面下部に固定されたレール部材３６と、載置壁３４の前縁から下方に延設された前壁３７とから構成されている。
レール部材３６は左右方向に長く形成されていて、上下壁部３６ａ，３６ｂと、これら上下壁部３６ａ，３６ｂの前端同士を連結する前壁部３６ｃとから側面視後方に向けて開口状のコ字形に形成されている。
【００３０】
移送台１０の後壁３５の後方には支持板３８が配置されており、この支持板３８の前面に設けられた左右一対の支持ローラ３９に前記レール部材３６が外嵌されており、これによって移送台１０の後部が左右方向移動自在に支持されている。
前記支持板３８は、図１に示すように、綴じ装置９を支持する支持台４２の前面上部の壁部を構成している。
【００３１】
移送台１０の載置壁３４の後部左側には左右方向に長い挿通穴４１が形成されている。この挿通穴４１は、主として、用紙束５に綴じ孔６を形成する際に後述するドリル受け１４３を用紙束５の下面に接当させたり、ステープル４で用紙束５を綴じる際に用紙束５にステープル４の脚部２を挿通させたりするためのものである。
挿通穴４１の前端側には、後方に向かうに従って下方に移行する傾斜状のガイド壁４３が設けられている（図５５参照）。このガイド壁４３は、用紙束５をステープル４で綴じた後に、用紙束５を載置壁３４上をスライドさせて前方に引き出す際にステープル４の脚部２の折曲げ部分が挿通穴４１の縁部に引っかからないように案内するためのものである。
【００３２】
図１０に示すように、前記載置壁３４の前部の左右方向中央から左寄りにネジ挿通孔４４が前後一対形成されている。
なお、載置壁３４の左端部側には移送台１０を左方に延長するための延長台（図示省略）を取り付けるための装着孔４５が形成され、また、移送台の前壁３７には移送台１０を前方に延長するための延長台（図示省略）がネジ止め等によって着脱自在に取付可能とされている。
【００３３】
図９及び図１１に示すように、カバーケース１１内には、移送台１０を左右方向に駆動する移送台駆動装置４６が収容されている。
この移送台駆動装置４６は、ベース部材１２に立設された支持フレーム４７と、移送モータ４８（駆動手段）と、この移送モータ４８によって左右方向に駆動される可動台４９と、前記可動台４９を左右方向移動自在に支持するガイドレール５０と、前記可動台４９を左右方向３位置に位置決めするための第１〜３位置決めセンサ５１，５２，５３とを備えている。
【００３４】
支持フレーム４７は、上壁４７ａと、この上壁４７ａの前後縁部から下方に延出されていてベース部材１２に取付固定される支持脚部４７ｂと、上壁４７ａの左右両側から上方に延出されたレール支持壁４７ｃとを有する。
左右のレール支持壁４７ｃ間には円柱状棒材からなる前記ガイドレール５０が横架されている。
【００３５】
移送モータ４８は、電動モータによって構成され、支持フレーム４７の上壁４７ａの左右方向中央側で且つ後部下面側に配置されていて該上壁４７ａに取付固定されている。この移送モータ４８の出力軸４８ａは支持フレーム４７の上壁４７ａから上方に突出されており、この出力軸４８ａにピニオン５４が一体回転自在に取付固定されている。
可動台４９は、上壁５６と、この上壁５６の後端側に一体形成された左右方向のラック５７と、上壁５６の左右両側から下方に延出された被支持壁５８とを有する。
【００３６】
この可動台４９は支持フレーム４７の上壁４７ａ上方に配置されていて、左右被支持壁５８を貫通する前記ガイドレール５０によって左右方向移動自在に支持されている。
また、可動台４９の上壁５６の左右方向中央部には円筒部材からなる前後一対の連結部材５９が上方突出状に固定されている。この前後の連結部材５９は、目隠しカバー３０の前後のガイド溝３３及びカバーケース１１の天板２１の前後の連結部材通行穴２７をそれぞれ挿通しており、移送台１０に形成されたネジ挿通孔４４を上方から挿通して連結部材５９にネジを螺合することによって、移送台１０が可動台４９に固定されている。これによって、移送台１０が可動台４９と一体的に左右移動可能とされている。
【００３７】
前記ラック５７は前記ピニオン５４に噛み合っており、移送モータ４８を回転駆動することにより可動台４９が左右方向に駆動され、これによって移送台１０が左右方向に駆動される。
また、可動台４９の上壁５６には、図９に示すように、その前縁から下方に延出された垂下壁６０が設けられ、この垂下壁６０の下縁から延出壁６１が後方に延出され、この延出壁６１の一部分から前記第１〜３位置決めセンサ５１，５２，５３によって検出される被検出部６２が上方に向けて延出形成されている。
【００３８】
前記第１〜３位置決めセンサ５１，５２，５３は、図１２に示すように、支持フレーム４７の上壁４７ａの前端側に左右方向に間隔をおいて設けられている。
第１、２位置決めセンサ５１，５２は、支持フレーム４７の右側において切り起しによって形成された第１ブラケット６３に取り付けられ、第３位置決めセンサ５３は第１ブラケット６３の右方に配置されて支持フレーム４７に固着された第２ブラケット６４に取り付けられている。
【００３９】
第１位置決めセンサ５１は第１ブラケット６３の右側に取り付けられ、第２位置決めセンサ５２は第１ブラケット６３の左側に取り付けられていて第１位置決めセンサ５１の左方に位置し、第３位置決めセンサ５３は第１位置決めセンサ５１の右方に位置している。
第１〜３位置決めセンサ５１，５２，５３は第１、２ブラケット６３，６４と共に可動台４９の上壁５６前部の下方側で且つ垂下壁６０の後方側に位置しており、被検出部６２は各位置決めセンサ５１，５２，５３の下方に向けて開口状のコ字形の切欠部を左右方向に通過可能とされている。
【００４０】
前記移送台１０は、用紙綴じ機１の運転開始前の位置であって穿孔装置７によって用紙束５に１つ目の綴じ孔６が形成されるホーム位置（初期位置）と、穿孔装置７によって用紙束５に２つ目の綴じ孔６が形成される第１移送位置と、用紙束５がステープル４によって綴じられる第２移送位置とに移動可能とされている。
この移送台１０にあっては、被検出部６２が第１位置決めセンサ５１と左右方向で位置が一致した位置が、図１３に示す移送台１０のホーム位置である。このホーム位置では、移送台１０の挿通穴４１が前記ドリル受け用開口２５とローラ通行穴２６の左側とにわたって位置している（ドリル受け用開口２５が挿通穴４１の左側に位置している）。また、目隠しカバー３０は、右側が後方に揺動した状態とされており、後方延出部３０ｂでローラ通行穴２６の右側を下方から覆う状態とされている。また、ガイド溝４３の左側は連結部材通行穴２７の左側に沿った状態とされ、連結部材５９が連結部材通行穴２７の中途部に位置している。連結部材通行穴２７は移送台１０で覆われている。
【００４１】
このホーム位置から移送台１０が左方に移動して、被検出部６２が第２位置決めセンサ５２と左右方向で位置が一致した位置が、図１４に示す移送台１０の第１移送位置である。この第１移送位置では、移送台１０の挿通穴４１の右側にドリル受け用開口２５が位置している。また、ローラ通行穴２６の右側が移送台１０から右方にはみ出しているが、このローラ通行穴２６の移送台１０からはみ出した部分を目隠しカバー３０の後方延出部３０ｂが覆っている。また、連結部材５９が連結部材通行穴２７及びガイド溝４３の左側を左方に移動する際、目隠しカバー３０は、右側が後方に揺動した状態を維持する。連結部材通行穴２７は移送台１０で覆われている。
【００４２】
この第１移送位置から移送台１０が右方に移動して、被検出部６２が第１位置決めセンサ５１を通過して第３位置決めセンサ５３と左右方向で位置が一致した位置が、図１５に示す移送台１０の第２移送位置である。この第２移送位置では移送台１０の挿通穴４１がローラ通行穴２６の左右方向中央部分に位置しており、連結部材通行穴２７の左側が移送台１０から左方にはみ出している。一方、連結部材５９は連結部材通行穴２７を右方に、該連結部材通行穴２７の右端部近くまで移動し、このとき、該連結部材５９がガイド溝４３の前縁に接当押圧することにより、目隠しカバー３０の左側が後側に揺動すると共に該目隠しカバー３０の右側が前側に揺動する。これにより、連結部材通行穴２７の左側が目隠しカバー３０によって下方から覆われると共に、目隠しカバー３０の後方延出部３０ｂがローラ通行穴２６の右側の下方位置から外れ且つ該ローラ通行穴２６の右側は移送台１０で覆われる。
【００４３】
本実施形態では、移送台１０は、ホーム位置から第１移送位置に移動した後、ホーム位置を通過して第２移送位置に移動し、その後、ホーム位置に戻るよう図示省略の制御装置によって移送モータ４８が制御される。
目隠しカバー３０がローラ通行穴２６及び連結部材通行穴２７の移送台１０からはみ出した部分を覆うことにより、該部分からカバーケース１１内に何かの物が入り込んだり、移送台１０で何かの物を挟み込んで作動不良を起こすということを防止することができる。
【００４４】
前記用紙押え装置８は、図１６及び図１７に示すように、移送台１０と左右方向に一体移動する支持フレーム６６を有する。
この支持フレーム６６は、上部が支持レール６７に左右方向移動自在に支持されたフレーム本体６８と、このフレーム本体６８の下部を移送台１０に連結する連結フレーム６９とを有する。
【００４５】
フレーム本体６８は、正面壁６８ａと、この正面壁６８ａの左右側縁から後方に延出された左右の側壁６８ｂとを有する。
支持レール６７は左右方向の軸心を有する円柱状棒材からなり、フレーム本体６８の上部にて、その左右側壁６８ｂを貫通していると共に、左側支持部材７０と右側支持部材７１とにわたって横架されている。図１に示すように、左側支持部材７０は穿孔装置７に取付固定され、右側支持部材７１は綴じ装置９に取付固定されている。
【００４６】
連結フレーム６９は、図１９及び図２０に示すように、フレーム本体６８の左右側壁６８ｂ下部の後端側を連結する横架部材７２と、この連結部材５９の背面及びフレーム本体６８の左右側壁６８ｂ下部の後端に固着された取付部材７３とを有する。
横架部材７２は、フレーム本体６８の左右側壁６８ｂ間にわたって配置された縦壁７２ａと、この縦壁７２ａの左右両側縁から前方に延設されていてフレーム本体６８の側壁６８ｂ内面に固着された側壁７２ｂと、縦壁７２ａの下縁から前方に延設された下壁７２ｃと、縦壁７２ａから前方に延出された後、その延出端から下方に延出されてなる左右一対の規制壁７２ｄとから構成されている。
【００４７】
左右の規制壁７２ｄは、ステープル４の脚部２を綴じ孔６に挿入すべく該ステープル４を下降させる際に、ステープル４の脚部２の後方に位置して該ステープル４の後方への倒れを規制する機能を有する。
取付部材７３は、移送台１０の後壁３５の背面側に配置された縦壁７３ａと、この縦壁７３ａの上縁から後方に延出された補強壁７３ｂとから側面視Ｌ字状に形成されている。
【００４８】
この取付部材７３の下部は移送台１０の後壁３５の背面上部にネジによって取付固定され、取付部材７３の上部は横架部材７２の縦壁７２ａ背面及びフレーム本体６８の左右側壁６８ｂの後端に固着されている。
図１７〜図１９に示すように、支持フレーム６６のフレーム本体６８の正面壁６８ａの背面には、用紙押え７４が設けられている。
【００４９】
この用紙押え７４は、支持フレーム６６に対して昇降可能な押えフレーム７５と、この押えフレーム７５の底部に設けられていて用紙束５の上面に接当する押えピン７６とを有する。
前記押えフレーム７５は、フレーム本体６８の正面壁６８ａの背面に位置する正面壁７５ａと、この正面壁７５ａの下縁から後方に延出された底壁７５ｂと、正面壁の左右両側縁から後方に延出された左右の側壁６８ｃとを有する。
【００５０】
押えフレーム７５の左右側壁７５ｃは、図１６及び図１７に示すように、フレーム本体６８の対応する側壁６８ｂにそれぞれ上下一対の取付ネジ７７によって取り付けられていると共に、フレーム本体６８の側壁６８ｂに形成されたネジ挿通孔７８は上下方向に長い長孔に形成されていて、フレーム本体６８に対して押えフレーム７５が昇降自在に支持案内されている。
【００５１】
図１８に示すように、押えフレーム７５の左右側壁７５ｃの上下方向中途部にはバネ掛け片７９が設けられ、このバネ掛け片７９には引張りコイルバネからなる引上げバネ８０の一端が引っ掛けられ、この引上げバネ８０の他端は、フレーム本体６８の左右側壁６８ｂに設けられていて前記バネ掛け片７９の上方に位置しているバネ掛け片８１に引っ掛けられている。これによって、フレーム本体６８に対して押えフレーム７５が上方に引上げ付勢されている。
【００５２】
押えフレーム７５の正面壁７５ａの上端には接当部８２が設けられ、この接当部が支持フレーム６６のフレーム本体６８の正面壁６８ａの上部に設けられた被接当部８３に接当することにより、押えフレーム７５の上方移動が規制されている。
前記被接当部８３は、弾性部材によって形成され、フレーム本体６８の正面壁６８ａに設けられた取付片８４に固着されている。
【００５３】
図１６及び図１９に示すように、押えフレーム７５の正面壁７５ａの下端側には、フレーム本体６８の正面壁６８ａの下端側から前方に突出する操作レバー８６が設けられている。
この操作レバー８６を押し下げることにより、前記押えフレーム７５が引上げバネ８０の付勢力に抗して下方に移動操作可能とされている。
【００５４】
また、この用紙押え装置８には、押えフレーム７５を下方に移動操作した際に、この押えフレーム７５の上方移動を規制する規制機構８７と、この規制機構８７による押えフレーム７５の上方移動規制を解除する解除レバー８８とが設けられている。
この規制機構８７は、図１７〜図１９に示すように、押えフレーム７５に設けられていて上下方向にラック歯が列設されたラック８９と、フレーム本体６８に前後軸回りに回転自在に設けられたピニオン９０と、このピニオン９０と一体回転するラチェット歯車９１と、フレーム本体６８に設けられていて該ラチェット歯車９１に噛み合うラチェット爪９２とから主構成されている。
【００５５】
押えフレーム７５が、その上下移動範囲の上端に位置しているときには、ラック８９の下端側にピニオン９０が位置しており、押えフレーム７５を下方移動すると、ラック８９がピニオン９０に噛み合って該ピニオン９０が回転することにより押えフレーム７５の下動が許容される。このとき、ラチェット歯車９１の歯がラチェット爪９２を押し上げることにより、ピニオン９０と共にラチェット歯車９１も一体回転する。
【００５６】
一方、押えフレーム７５を下方移動させた後、該押えフレーム７５に対する操作力を解除すると、ラチェット爪９２がラチェット歯車９１に食い込むことにより、ラチェット歯車９１及びピニオン９０の回転が規制され、押えフレーム７５の上方移動が規制される。ラチェット爪９２は、その自重によりラチェット歯車９１に食い込むように前後軸回りに回転自在にフレーム本体６８に枢支されている。
【００５７】
解除レバー８８は、その操作部８８ａがフレーム本体６８の正面に位置するように、フレーム本体６８の正面壁６８ａ及び押えフレーム７５の正面壁７５ａを貫通している。この解除レバー８８には、図１７に示すように、ラチェット爪９２に設けられた被押動部９２ａの上方に位置する解除アーム９３が後方突出状に設けられている。また、この解除アーム９３とその上方に位置するバネ掛け部９４とにわたって設けられた引張りコイルバネ（図示省略）によって解除アーム９３が上方に付勢されている。
【００５８】
解除レバー８８には、前記被押動部９２ａの下方に位置していて、ラチェット歯車９１によってラチェット爪９２が押し上げられた際のラチェット爪９２の過度の上方揺動を規制する規制アーム９５が設けられている。
前記解除レバー８８による規制機構８７の解除操作は、例えば、操作部８８ａを引き上げることにより行われる。すなわち、操作部８８ａを引き上げると、解除アーム９３がバネの付勢力に抗して下げられ、該解除アーム９３によって被押動部９２ａが押し下げられることにより、ラチェット爪９２が上方に揺動して該ラチェット爪９２がラチェット歯車９１から外れるように構成されている。ラチェット爪９２がラチェット歯車９１から外れると、ラチェット歯車９１及びピニオン９０の回転が許容され、前記引上げバネ８０の付勢力によって押えフレーム７５が引き上げられる。また、解除レバー８８の操作力を解除するとラチェット爪９２が下方揺動してラチェット歯車９１に噛み合う。
【００５９】
また、図１９に示すように、前記ピニオン９０を回転自在に支持する支軸９６には、本体フレームの正面壁の正面に位置する操作ハンドル９７が固定されており、この操作ハンドル９７を回転操作することにより、ピニオン９０が回転操作可能とされている。
用紙束５を押さえる押えピン７６は複数（本実施形態では５つ）設けられている。
この押えピン７６は軸部７６ａと、この軸部７６ａの下端に設けられた頭部７６ｂとを有し、軸部７６ａが押えフレーム７５の底壁７５ｂを上下動自在に貫通している。押えピン７６の軸部７６ａには、押えフレーム７５の底壁７５ｂ上面に接当することにより、押えピン７６の下方への抜止めをする抜止め部材９８が設けられている。また、押えピン７６の頭部７６ｂと、押えフレーム７５の底壁７５ｂ下面との間には、圧縮コイルバネからなる付勢バネ９９が介装されている。この付勢バネ９９は軸部７６ａに套嵌されている。
【００６０】
この用紙押え装置８にあっては、移送台１０上で且つ用紙押え装置８の下方に用紙束５を配置し、操作レバー８６によって押えフレーム７５を下方移動して、押えピン７６の頭部７６ｂを用紙束５に接当し、その後、操作ハンドル９７を回転させて押えフレーム７５を下方移動することにより、適度な押圧力によって用紙束５を押さえることができる。
図１７等に示すように、押えフレーム７５の底壁７５ｂ上には、用紙押え装置８によって用紙束５を押さえていることを検出する用紙検出センサ１００が設けられている。この用紙検出センサ１００はリミットスイッチから構成され、該用紙検出センサ１００の接触子に押えピン７６の軸部７６ａが接当することにより、用紙押え装置８によって用紙束５が押さえられていることが検出される。
【００６１】
本実施形態の用紙綴じ機１にあっては、この用紙検出センサ１００がオンにならないと、運転スイッチ２４を押しても、用紙綴じ機１が作動しないよう構成されている（すなわち、用紙検出センサ１００がオンになった状態で、運転スイッチ２４を押すと用紙綴じ機１の運転が開始するよう構成されている）。
また、図２０に示すように、押えフレーム７５の底壁７５ａの後部には、移送台１０の挿通穴４１に対する位置（挿通穴４１の上方位置）に形成されていて、後述するステープル保持部材２０４等の通過を許容するめの切欠部１０１が形成されている。
【００６２】
前記穿孔装置７は、図２１に示すように、ベース部材１２に立設された穿孔フレーム１０２と、この穿孔フレーム１０２に昇降自在に支持されていて用紙束５に綴じ孔６を形成する単一の穿孔ドリル１０３と、綴じ孔６の穿孔時に穿孔ドリル１０３のドリルビット１０４を受けるドリル受け装置１０５とを有する。
本実施形態の用紙綴じ機１にあっては、移送台１０を前述したホーム位置と第１移送位置とに移動させることにより、この穿孔装置７によってステープル４の左右脚部２に対応した左右一対の綴じ孔６を用紙束５に形成する。
【００６３】
前記穿孔ドリル１０３は穿孔フレーム１０２に昇降自在に支持された昇降フレーム１０６に取付固定されている。
図２２及び図２３に示すように、昇降フレーム１０６は、中空箱形に形成されており、穿孔フレーム１０２の正面壁１０２ａの前方に配置され、背面にラックブラケット１０７が固定されている。ラックブラケット１０７の背面にはラック１０８が固定され、このラック１０８の背面には、ラック歯が上下方向に列設されて形成されている。このラック１０８は穿孔フレーム１０２の正面壁１０２ａの後方側に位置し、穿孔フレーム１０２の正面壁１０２ａにはラックブラケット１０７の上下動を許容するための切欠き開口１０９が形成されている。
【００６４】
図２１に示すように、穿孔フレーム１０２の側壁１０２ｂ（本実施形態では右側壁）には電動モータからなる昇降モータ１１０（駆動手段）が取付固定され、この昇降モータ１１０の出力軸には前記ラック１０８に噛み合うピニオン１１１が取付固定され、この昇降モータ１１０の動力によって昇降フレーム１０６が昇降動作される。
昇降フレーム１０６の後部には、上下方向に配置された円柱丸棒からなる昇降レール１１２が貫通され、この昇降レール１１２の上端及び下端は、穿孔フレーム１０２の正面壁１０２ａに固定された上下の支持ブラケット１１３に固定されている。また、昇降フレーム１０６の左右の側面後部には、穿孔フレーム１０２の正面壁の前面を転動するガイドローラ１１４が設けられている。
【００６５】
これら昇降レール１１２及びガイドローラ１１４によって、昇降フレーム１０６が穿孔フレーム１０２に沿って昇降自在にガイドされている。
図２２に示すように、穿孔フレーム１０２の正面壁１０２ａの前面には、上側の支持ブラケット１１３の下方近傍に位置する上位置決めセンサ１１６と、下側の支持ブラケットの上方近傍に位置する下位置決めセンサ１１７とが取付固定されている。各位置決めセンサ１１６，１１７は、リミットスイッチから構成されている。
【００６６】
また、昇降フレーム１０６の左側面の後部には、上位置決めセンサ１１６の接触子に接当する上接当部１１８と、下位置決めセンサ１１７の接触子に接当する下接当部１１９とが設けられている。
前記昇降フレーム１０６の後部下面には、ローラ押動部材１２０が取付固定されている。このローラ押動部材１２０は昇降フレーム１０６の後部下面から下方に突出状とされて、下側の支持ブラケット１１３を貫通しており、下端は後述するドリル受け装置１０５の支持フレーム１２８の上端部に至る。
【００６７】
このローラ押動部材１２０は、板材からなり、図２６に示すように、板面が前後方向を向く縦壁１２ａと、この縦壁１２０ａの左右両側から後方に延出された側壁１２０ｂとを有する。
前記穿孔ドリル１０３は、電動ドリルによって構成され、電動モータからなるドリルモータ１２１（駆動手段）を有する。
【００６８】
図２２に示すように、この穿孔ドリル１０３のドリルモータ１２１は、昇降フレーム１０６の上面前部に取付固定されている。このドリルモータ１２１の出力軸１０３ａは下方に突出していて、昇降フレーム１０６内に挿入状とされている。この出力軸１０３ａにはビット取付部材１２２が取付固定され、ビット取付部材１２２の下端側のビット取付部１２２ａに中空ドリルビット１０４が取付固定されている。ビット取付部１２２ａは中空ドリルビット１０４の中空部に連通する中空状に形成され、ビット取付部材１２２の上部には、中空ドリルビット１０４によって綴じ孔６を穿孔する際に出る穿孔屑を排出する穿孔屑排出口１２３が形成されている。
【００６９】
前記穿孔ドリル１０３にあっては、中空ドリルビット１０４によって用紙束５を穿孔する際に生じる穿孔屑はドリルビット１０４内の中空部に収容され、該穿孔屑は用紙束５を穿孔する毎に押し上げられて、ビット取付部１２２ａ内を通って穿孔屑排出口１２３から昇降フレーム１０６内に排出される。
この昇降フレーム１０６内に排出された穿孔屑は、昇降フレーム１０６の底部に取り付けられた、図２１に示すガイドシュート１２４を介して下方の穿孔屑収集箱１２５に落下案内される。この穿孔屑収集箱１２５はベース部材１２上に前後移動自在に設けられ、カバーケース１１の前面から引き出し可能とされている。
【００７０】
ガイドシュート１２４と穿孔屑収集箱１２５との間には、穿孔フレーム１０２に固定された固定ガイド１２６が設けられ、この固定ガイド１２６内をガイドシュート１２４の下部が上下移動可能とされている。この固定ガイド１２６は前面が開放状とされ、その前面上部は、前記移送台１０の後壁３５を支持する支持板３８によってカバーされる。
本実施形態にあっては、穿孔装置７を中空ドリルビット１０４によって綴じ孔６を穿孔するように構成したので、穿孔屑を簡易な構造で容易に収集することができる。
【００７１】
なお、昇降フレーム１０６の左側面及び正面には、カバー部材で閉鎖される点検用開口１２７が形成されている。
前記ドリル受け装置１０５は、図２２に示すように、後部が穿孔フレーム１０２の前面下部に取付固定されると共に前部がカバーケース１１内に挿入状とされて前記移送台駆動装置４６の支持フレーム４７の上壁４７ａ上に載置支持された支持フレーム１２８を有する。
【００７２】
この支持フレーム１２８は、図２４、図２５及び図２６に示すように、左右方向で対向配置された左右のメインプレート１２９を有し、このメインプレート１２９の後端側には各メインプレート１２９から左右方向外方に延出されていて穿孔フレーム１０２の前面に取付固定される取付壁１３０を有する。左右メインプレート１２９は、その下端同士を連結する前後の連結壁１３１によって相互に連結されている。
【００７３】
メインプレート１２９間の後端側下部の左右方向中央部には、バックアップローラ１３２（バックアップ部材）が配置されている。このバックアップローラ１３２の左右両側には筒体からなるスペーサ１３３が設けられ、該バックアップローラ１３２は、左右スペーサ１３３及びバックアップローラ１３２並びに左右メインプレート１２９を貫通する支軸１３４を介して左右軸回りに回転自在に支持されている。
【００７４】
左右メインプレート１２９のバックアップローラ１３２の前方側には軸逃がし孔１３５が形成されている。
左側メインプレート１２９の前部には、延出片１３６が下方に延出状に形成され、この延出片１３６の下端にバネ掛け片１３７が形成されている。このバネ掛け片の上方側には左右方向の軸心を有する枢支軸１３８が左方突出状に設けられている。
【００７５】
また、メインプレート１２９間には、揺動フレーム１３９が設けられている。この揺動フレーム１３９は、下部の本体部１４０と上部の支持ブラケット１４１とを有する。
揺動フレーム１３９の本体部１４０は、上壁１４０ａと、この上壁１４０ａの左右両側から下方に延出された左右側壁１４０ｂとを有する。
揺動フレーム１３９の支持ブラケット１４１は、前記揺動フレーム１３９の本体部１４０の上壁１４０ａの後部上に固着された底壁１４１ａと、この底壁１４１ａの左右両側から上方に延出された左右の側壁１４１ｂとを有する。
【００７６】
この支持ブラケット１４１の左右側壁１４１ｂ前部には揺動支軸１４２が設けられ、この揺動支軸１４２を介して揺動フレーム１３９が、左右メインプレート１２９の前後方向中途部の上部に左右軸回りに上下揺動自在に支持されている。
図２６に示すように、揺動フレーム１３９の本体部１４０の上壁１４０ａの前部にはドリルビット１０４を受けるドリル受け１４３が設けられており、該ドリル受け１４３を揺動フレーム１３９に設けることで該ドリル受け１４３が昇降自在とされている。このドリル受け１４３はカバーケース１１の天板２１のドリル受け用開口２５と上下方向で対応する位置に配置されていると共に、このドリル受け用開口２５をドリル受け１４３が通過可能とされている。
【００７７】
また、揺動フレーム１３９の本体部１４０の上壁１４０ａには、ドリル受け１４３と揺動支軸１４２との間に（ドリル受け１４３の後側で且つ揺動支軸１４２の前側に）位置するバネ掛け部１４４が設けられており、このバネ掛け部１４４に引張りコイルバネからなる戻しバネ１４５の一端が引っ掛けられている。この戻しバネ１４５の他端は、支持フレーム１２８の後側の連結壁１３１の前部に設けられたバネ掛け部１４６に引っ掛けられている。
【００７８】
したがって、この戻しバネ１４５によって揺動フレーム１３９の前部が下方に向けて付勢されていると共に、該揺動フレーム１３９は、支持フレームの前側の連結壁１３１等に接当することにより、その下方揺動が規制され、ドリル受け１４３が移送台１０の下方に位置する退避位置（図２２及び図２６に示す位置）に保持される。この退避位置では、ドリル受け１４３の上面の受け面１４７が前方に向けて下方傾斜状とされている。また、ドリル受け１４３が前記退避位置にあるときには、揺動フレーム１３９が前下がり傾斜状とされている。
【００７９】
揺動フレーム１３９の本体部１４０の後端側下部には、被押圧ローラ１４８が左右軸回りに回転自在に設けられている。この被押圧ローラ１４８は、揺動フレーム１３９の本体部１４０の左右側壁１４０ｂ間に配置されてローラ支軸１４９によって回転自在に支持されている。この被押圧ローラ１４８は、ドリル受け１４３が退避位置に位置する状態において、バックアップローラ１３２の近傍で且つ前斜め上方に位置していると共に、ローラ押動部材１２０の下方に位置している。
【００８０】
前記ドリル受け１４３は、ドリルビット１０４が接当する受け板１５０と、この受け板１５０を保持する受板ホルダ１５１とを有する。受け板１５０はゴム板等の弾性板材によって円板状に形成されている。
受板ホルダ１５１は軸心が縦向きの円柱状を呈している。この受板ホルダ１５１の上部には嵌合座１５２が形成され、この嵌合座１５２に受け板１５０が着脱可能に嵌合保持されていて、該受け板１５０が交換可能とされている。この受け板１５０の上面がドリルビット１０４の下端が接当する前記受け面１４７とされている。
【００８１】
図２６に示すように、受板ホルダ１５１は、揺動フレーム１３９の本体部１４０の上壁１４０ａの前部に設けられたホルダ支軸１５３にワンウェイクラッチ１５４を介して支持されていて、一方向にのみ回転可能とされている（この受板ホルダ１５１が回転する方向をホルダ回転方向という）。本実施形態では、受板ホルダ１５１は、平面視で反時計回りに（図２９の矢視Ｄ方向に）のみ回転するように設けられている。
【００８２】
図２７に示すように、受板ホルダ１５１の下面には係合歯１５５が周方向に沿って列設されている。
図２４に示すように、前記支持フレーム１２８の前部左側（左側のメインプレート１２９の前部左側）には、ドリル受け１４３が下降する際に（揺動フレーム１３９が下方揺動する際に）、該ドリル受け１４３を、受板ホルダ１５１の軸心回りに所定角度回転させるための送り部材１５６が設けられている。
【００８３】
この送り部材１５６は、帯板材によって構成され、図２４及び図２５に示すように、前記支持フレーム１２８の左側のメインプレート１２９に設けられた前記枢支軸１３８に左右軸回りに回転自在に支持された揺動アーム部１５８と、この揺動アーム部１５８の前縁から右方に延出されていて係合歯１５５に噛合する噛合部１５９とからＬ字状に形成されてなる。
【００８４】
揺動アーム部１５８は前後方向中途部が前記枢支軸１３８に支持されており、この枢支軸１３８の後方側にバネ掛け孔１６０が形成されている。このバネ掛け孔１６０と支持フレーム１２８の左側のメインプレート１２９に設けられたバネ掛け片１３７とにわたって、引張りコイルバネからなる係合付勢バネ１６１が設けられており、この係合付勢バネ１６１によって噛合部１５９が係合歯１５５に噛合するように送り部材１５６が付勢されている。
【００８５】
前記構成の穿孔装置７にあっては、用紙綴じ機１の運転開始前においては、上接当部１１８が上位置決めセンサ１１６の接触子に接当していて、昇降フレーム１０６及び穿孔ドリル１０３が昇降範囲の上昇位置（ホーム位置）に停止している。このとき、図２２及び図２６に示すように、ドリル受け１４３が退避位置に位置している。この退避位置では、ドリル受け１４３は、移送台１０の下方に位置していて、移送台１０の左右移動が可能である。
【００８６】
また、用紙綴じ機１の運転開始前においては、移送台１０がホーム位置に位置していて、ドリル受け１４３が挿通穴４１の下方に位置し、ドリル受け１４３の受け面がドリル受け用開口２５及び挿通穴４１を介して用紙束５の下面に対向している。
用紙綴じ機１の運転が開始されると、穿孔ドリル１０３が回転駆動されると共に、該穿孔ドリル１０３が回転駆動しながら（ドリルビット１０４が回転しながら）昇降フレーム１０６及び穿孔ドリル１０３が下降する。昇降フレーム１０６が下降する際、ローラ押動部材１２０も一緒に下降し、穿孔ドリル１０３のドリルビット１０４が用紙束５に達する前に、該ローラ押動部材１２０によって被押圧ローラ１４８が押し下げられ、前部が上方移動するように揺動フレーム１３９が揺動し、ドリル受け１４３が上昇する。
【００８７】
図２８に示すように、ドリル受け１４３の受け面１４７が水平状態となって該ドリル受け１４３が用紙束５の下面に接当する受け位置となると、被押圧ローラ１４８がローラ押動部材１２０の縦壁１２０ａの前面に乗り上げ、該縦壁１２０ａ前面を転動する。これによって、ドリル受け１４３の上昇（揺動フレーム１３９の上方揺動）が停止すると共にドリル受け１４３が受け位置に保持される。
【００８８】
また、被押圧ローラ１４８がローラ押動部材１２０の縦壁１２０ａの前面に乗り上げた後、直ぐにバックアップローラ１３２がローラ押動部材１２０の縦壁１２０ａの後面に接当し、このローラ押動部材１２０の縦壁１２０ａが被押圧ローラ１４８とバックアップローラ１３２とで挟まれると共に、該縦壁１２０ａの後面をバックアップローラ１３２が転動する。
【００８９】
そして、用紙束５の厚さにかかわらず、ドリル受け１４３が受け位置になった後に、ドリルビット１０４が用紙束５の上面に接当するよう構成されている。その後、穿孔ドリル１０３が下方するにしたがってドリルビット１０４が用紙束５を貫通し、該用紙束５に綴じ孔６が形成される。ドリルビット１０４が用紙束５を貫通すると、該ドリルビット１０４は受け板１５０に接当するが、このときドリルビット１０４は受け板１５０の後部に接当する。
【００９０】
また、ドリルビット１０４によって用紙束５に綴じ孔６が穿孔される際、ドリルビット１０４からドリル受け１４３に作用する荷重は、被押圧ローラ１４８からローラ押動部材１２０へと作用するが、被押圧ローラ１４８の後側でバックアップローラ１３２がローラ押動部材１２０に接当していて、ローラ押動部材１２０が後方から押さえられている（バックアップされている）ので、穿孔ドリル１０３からの荷重によってローラ押動部材１２０が撓んでドリル受け１４３が下方に逃げるということがなく、ドリル受け１４３を確実に受け位置に保持することができる。
【００９１】
また、ドリルビット１０４が用紙束５を貫通してドリル受け１４３の受け面１４７に接当した際に、昇降フレーム１０６の下接当部１１９が下位置決めセンサ１１７の接触子に接当し、昇降フレーム１０６の下降が停止する。昇降フレーム１０６の下降が停止すると、該昇降フレーム１０６は該位置（昇降範囲の下降位置）で所定時間（例えば、５秒）留まり、該下降位置で穿孔ドリル１０３が回り続ける。
【００９２】
その後、穿孔ドリル１０３の回転が停止すると共に昇降フレーム１０６がホーム位置まで上昇する。
一方、前記送り部材１５６は噛合部１５９が係合歯１５５に噛合するように係合付勢バネ１６１によって付勢されているので、ドリル受け１４３が上昇する際においては、該送り部材１５６は、ドリル受け１４３に追従して上方移動する。このとき、ドリル受け１４３及び送り部材１５６は図２９に実線で示す位置から仮想線で示す位置に変位し、送り部材１５６の噛合部１５９は、上方移動しながらホルダ回転方向Ｄ後方側にも移動し、ドリル受け１４３をホルダ回転方向Ｄ後方に回そうとする力がドリル受け１４３に作用するが、ドリル受け１４３はホルダ回転方向Ｄ後方には回転しないので、係合歯１５５に対する噛合部１５９の噛み合い位置がホルダ回転方向Ｄ後方側へ移り変わる（本実施形態では係合歯１５５の３つ分噛み合い位置がずれる）。
【００９３】
また、ドリル受け１４３が下降する際においては、ドリル受け１４３及び送り部材１５６は図２９に仮想線で示す位置から実線で示す位置に変位し、送り部材１５６の噛合部１５９は、下方移動しながらホルダ回転方向Ｄにも移動して、ドリル受け１４３をホルダ回転方向Ｄに押動し、ドリル受け１４３をホルダ回転方向Ｄに所定角度回転させる。
これによって、穿孔ドリル１０３によって綴じ孔６を穿孔する毎に、受け板１５０に対するドリルビット１０４の当り位置が変わり、受け板１５０の寿命を長くすることができる。
【００９４】
前記穿孔装置７にあっては、移送台１０がホーム位置に位置する状態で用紙綴じ機１の運転が開始されると、移送台１０のホーム位置で移送台１０上の用紙束５に１つ目の綴じ孔６を形成する。その後、穿孔ドリル１０３がホーム位置に戻ると共にドリル受け１４３が退避位置に戻り、移送台１０が第１移送位置に移動し、この第１移送位置で移送台１０上の用紙束５に２つ目の綴じ孔６を形成する。これによって、用紙束５に、ステープル４の左右脚部２の付け根部（クラウン部３との連結部分）の間隔に相当する間隔で左右一対の綴じ孔６が形成される。
【００９５】
前記綴じ装置９は、図３０に示すように、ステープル連結体１７を保持するステープル保持装置１６２と、このステープル保持装置１６２に保持されたステープル連結体１７の１つのステープル４を切り離して該ステープル４の脚部２を綴じ孔６に挿通させるステープル挿通装置１６３と、綴じ孔６に挿通されたステープル４の脚部２を折り曲げる脚部曲げ装置１６４とを有する。
【００９６】
ステープル保持装置１６２は、図３０及び図３１に示すように、支持台４２上に載置固定された固定フレーム１６６を有する。
この固定フレーム１６６は、図３２に示すように、左右方向に間隔をおいて配置された左右側壁１６６ａの下縁同士を底壁１６６ｂで相互に連結してなる。
固定フレーム１６６の左右各側壁１６６ａの左右方向内面（対向側）の下部には前後方向に配設された固定レール１６７が取付固定されている。また、左右各側壁１６６ａの前端側には、図３１に示すように、上下方向に長く形成され且つ上方に開放した規制溝１６８が設けられている。
【００９７】
前記支持台４２は、前記ベース部材１２に立設固定されている。
図３１に示すように、前記固定フレーム１６６の左右側壁１６６ａ間には、ステープル４を保持するステープル載置台１６９が前方に引き出し自在に設けられている。
このステープル載置台１６９は、図３３、図３４に示すスライド台１７０に取付固定されている。このスライド台１７０は、左右の側壁１７１ａを底壁１７１ｂで連結してなる基台１７１と、この基台１７１の左右側壁１７１ａの外側面の下部にそれぞれ配設されていて該側壁１７１ａに取付固定されたスライドレール１７２と、基台１７１の左右側壁１７１ａの上端にそれぞれ固定されたステープルガイド１７３とを有する。
【００９８】
このスライド台１７０は、固定フレーム１６６の左右側壁１６６ａ間に配置されていて、スライドレール１７２が固定レール１６７に前後方向スライド自在に支持されている。
ステープル載置台１６９は、スライド台１７０の基台１７１の左右側壁１７１ａ間に配置されて、該基台１７１の底壁１７１ｂに取付固定されている。
したがって、ステープル載置台１６９は、固定フレーム１６６に対してスライド台１７０を前方移動させることにより、固定フレーム１６６の左右側壁１６６ａ間に収められた正規位置から前方に引き出し自在とされている。
【００９９】
図３５に示すように、固定フレーム１６６の底壁１６６ｂの後端側には、ステープル載置台１６９が正規位置に位置していることを検出する保持台検出センサ１７４が配置されている。この保持台検出センサ１７４はリミットスイッチから構成され、正規位置に位置しているスライド台１７０の基台１７１の底壁１７１ｂの後端が保持台検出センサ１７４の接触子に接触することにより、ステープル載置台１６９が正規位置に位置していることが検出される。
【０１００】
前記ステープル載置台１６９は、図３４に示すように、左右側壁１６９ａと、左右側壁１６９ａの上端同士を連結する上壁１６９ｂと、左右側壁１６９ａ間の前端に位置する前壁１６９ｃと、左右側壁１６９ａの下端から左右方向外方に延設されていて前記基台１７１の底壁１７１ｂに取付固定された取付壁１６９ｄとを有する。
図３４に示すように、ステープル載置台１６９の上壁１６９ｂには、前後方向に長い案内孔１７５が形成されている。また、図３５に示すように、該上壁１６９ｂの下方側にはガイドロッド１７６が前後方向に配設され、このガイドロッド１７６の前端側及び後端側は、ステープル載置台１６９の上壁１６９ｂに設けられた取付片１７７に取付支持されている。
【０１０１】
ステープル載置台１６９の前壁１６９ｃの上部には正面視矩形状の開口部１７８が形成されている。
ステープル載置台１６９の左右の各側壁１６９ａは、その上部が下方に向かうに従って左右方向外方に向けて傾斜する傾斜状に形成され、下部が該上部の下端から鉛直下方に延設されている。このステープル載置台１６９にステープル連結体１７が上方から外嵌載置され、このステープル載置台１６９に外嵌載置された状態で、図３７に示すように、ステープル４の下部はステープル載置台１６９の側壁１６９ａから離間した状態となり、接着剤がステープル載置台１６９に接触しないようになっている。
【０１０２】
図３４及び図３５に示すように、ステープル載置台１６９には、該ステープル載置台１６９にステープル連結体１７を後方から押圧するプッシャ１７９が前後方向に移動自在に外嵌載置されている。
このプッシャ１７９には、ステープル載置台１６９の上壁１６９ｂの案内孔１７５を介して下方に突出された前後一対の支持片１７９ａが設けられ、この前後支持片１７９ａには前記ガイドロッド１７６が貫通していると共に、後側の支持片１７９ａと後側の取付片１７７との間でガイドロッド１７６に套嵌された圧縮コイルバネからなるバネ部材１８０によって前方に押圧付勢されている。
【０１０３】
ステープル載置台１６９上のステープル連結体１７の前方への移動規制は、図３５、図３７及び図３８に仮想線で示すように、後述するステープル挿通装置１６３のステープル保持部材２０４に設けられた位置規制部２１３によって行われる。
この位置規制部２１３がステープル連結体１７の先頭のステープル４のクラウン部３に前側から接当することによってステープル連結体１７の前方への移動規制がなされる。この位置規制部２１３によってステープル連結体１７の前方への移動規制がされた状態で、先頭のステープル４がステープル載置台１６９から前方にはみ出すように位置し、前から２番目以降のステープル４がステープル載置台１６９に載置されるように、ステープル連結体１７がステープル載置台１６９上に保持される。
【０１０４】
本実施形態の綴じ装置９にあっては、前記先頭のステープル４が位置する位置が、用紙束５を綴じるために待機する綴じ待機位置とされ、用紙束５を綴じる際には、後述するステープル挿通装置１６３のステープル保持部材２０４とステープル押下げ部材２０５とによって、綴じ待機位置にあるステープル４（ステープル連結体１７の先頭のステープル４）が隣接するステープル４から切り離され、該切り離されたステープル４が用紙束５に形成された綴じ孔６に挿通される。
【０１０５】
この用紙束５に形成された綴じ孔６に対するステープル４の挿通動作の詳細は後述するが、簡単に説明すると、前記ステープル保持部材２０４は、綴じ待機位置に位置するステープル４に上方から外嵌して該ステープル４を保持する。その後、この保持されたステープル４が、ステープル保持部材２０４と共に下降するステープル押下げ部材２０５によって押し下げられて隣接するステープル４から切り離された後、用紙束５近傍に移送される。その後、該ステープル４がステープル押下げ部材２０５によってさらに押し下げられて該ステープル４の脚部２が綴じ孔６に挿通される。
【０１０６】
ステープル載置台１６９の前部上方にはブラケットフレーム１８１が配置され、このブラケットフレーム１８１にステープル載置台１６９上のステープル４がなくなったことを検出するステープル切れ検出センサ１８２が取り付けられている。また、このブラケットフレーム１８１には、下方に向けて延出されていて、下端がステープル連結体１７の上方近傍に位置するステープルガイド１８３が設けられている。
【０１０７】
ステープル載置台１６９上のステープル４がなくなると、プッシャ１７９の上部後端側に設けられた被検出部１７９ｂがステープル切れ検出センサ１８２に検出され、これによってステープル４がなくなったことが検出される。
ステープル４がステープル載置台１６９からなくなると、ステープル載置台１６９を前方に引き出してステープル連結体１７を補充するが、このステープル連結体１７の補充時において、ステープル連結体１７の前方移動を規制すべく、ステープル載置台１６９の前方に、図３１、図３３等に示す規制体１８４が設けられている。
【０１０８】
この規制体１８４は、スライド台１７０の前面側に取付固定された取付フレーム１８５に上下動自在で且つ下方移動するに従って前方移動するように支持されている。
取付フレーム１８５は、図３６に示すように、前壁１８５ａと、この前壁１８５ａの左右両端下部から後方に延出された取付壁１８５ｂとを有し、この取付フレーム１８５は、その前壁１８５ａとステープル載置台１６９との間にステープル４を保持した前記ステープル保持部材２０４が通過可能なスペースが空くように（図３５参照）、その取付壁１８５ａがスライド台１７０の基台１７１に取付固定されている。
【０１０９】
この取付フレーム１８５の前壁１８５ａ前面の左右両側には、上壁１８７ａと側壁１８７ｂとを有し且つ側壁１８７ｂに下方に向かうに従って前方に向けて傾斜するガイド孔１８６が形成された支持ブラケット１８７が固定されている。
また、取付フレーム１８５の前壁１８５ａの左右方向中央部分には、干渉回避用の開口１８８が形成され、該干渉回避用開口１８８は上部の左右幅が広く、下部の左右幅が狭く形成されている。
【０１１０】
前記規制体１８４は、前壁１８４ａと左右側壁１８４ｂと左右一対の上壁１８４ｃとを有し、前壁１８４ａ下端には操作部１８４ｄが設けられ、左右各上壁１８４ｃの左右方向内端には上方に向けて延出された接当片１８４ｅが設けられ、左右各上壁１８４ｃ上にはマグネット１８９が設けられ、左右側壁１８４ｂの外側面上部には前記ガイド孔１８６を挿通して該ガイド孔１８６に長手方向移動自在に案内される被ガイド部１９０が設けられ、この被ガイド部１９０の下方には左右側壁１８４ｂを貫通すると共に前記ガイド孔１８６を挿通して該ガイド孔１８６に長手方向移動自在に案内される被ガイド棒１９１が設けられている。
【０１１１】
前記規制体１８４は、下方に下げられた図３１に示す退避位置に位置する状態では、ステープル連結体１７の前方移動規制はしていない。また、この規制体１８４の退避位置では被ガイド棒１９１が前記固定フレーム１６６の規制溝１６８に嵌っており、これによって、ステープル載置台１６９の前方移動が規制されている。
ステープル載置台１６９に保持されたステープル４がなくなってステープル連結体１７を補充する際には、規制体１８４を引き上げる。すると、被ガイド棒１９１が規制溝１６８から離脱してステープル載置台１６９の前方移動が許容されると共にマグネット１８９が支持ブラケット１８７の上壁１８７ａに吸着して規制体１８４が引き上げられた状態（規制位置）に保持される。このとき、規制体１８４はガイド孔１８６に案内されて上方移動すると共に後方移動し、接当片１８４ｅがステープル載置台１６９上に外嵌載置されるステープル連結体１７の先頭のステープル４に接当して該ステープル連結体１７の前方移動を規制する位置に移動する。
【０１１２】
ステープル載置台１６９を前方に引き出すと、ステープル連結体１７がステープル載置台１６９上に上方から外嵌載置可能とされる。また、ステープル載置台１６９にステープル連結体１７を補充した後、ステープル載置台１６９を図３５等に示す正規位置に戻した状態では、まだ、規制体１８４は規制位置に位置しているが、このとき、ステープル保持部材２０４に設けられた位置規制部２１３は上方に退避しており、次に、綴じ待機位置にあるステープル４を用紙束５の綴じ孔６に挿通すべく、ステープル保持部材２０４が下降すると、該ステープル保持部材２０４の位置規制部２１３によって規制体１８４が押し下げられて、該規制体１８４が図３１に示す退避位置に戻る。
【０１１３】
また、図３７、図３８及び図３９に示すように、このステープル保持装置１６２には、綴じ待機位置にあるステープル４を下側から支持可能なステープル受け１９２が設けられている。このステープル受け１９２によって、ステープル連結体１７の最後に残ったステープル４が綴じ待機位置に位置したときに、該ステープル４の落下を防止することができる。
【０１１４】
前記ステープル受け１９２は、ステープル載置台１６９の左右側壁１６９ａ間の前部に位置していて、ステープル載置台１６９の左右側壁１６９ａ間の前部に設けられた支持ブラケット１９３に支持されている。また、このステープル受け１９２は、上下動自在で且つ下降するにつれて後方移動するように支持ブラケット１９３に支持されており、綴じ待機位置に位置するステープル４を押し下げるときには、ステープル４の移動経路から後方に逃げるように構成されている。
【０１１５】
支持ブラケット１９３は、左右の側壁１９３ａと、この左右側壁１９３ａの前端下部同士を連結する連結壁１９３ｂとを備え、前記連結壁１９３ｂが、ステープル載置台１６９の前壁１６９ｃの背面に、該前壁１６９ｃに形成された開口部１７８の下側で固着されている。
この支持ブラケット１９３の左右の側壁１９３ａには、下方に向かうに従って後方に向けて傾斜状のガイド孔１９４が貫通形成されている。この支持ブラケット１９３の左右側壁１９３ａ間にステープル受け１９２が配置されている。
【０１１６】
ステープル受け１９２は、昇降部材１９５と、左右一対のプレート部材１９６とを有する。
昇降部材１９５は、左右の側壁１９５ａと、左右側壁１９５ａの後端下部同士を連結する後壁１９５ｂとを有する。左右各側壁１９５ａには、バネ掛け片１９７が左右方向内方に突出状に切起こしで形成されている。このバネ掛け片１９７には引張りコイルバネからなる引上げバネ１９８の一端が引っ掛けられ、この引上げバネ１９８の他端はステープル載置台１６９の上壁１６９ｂに切起こしで形成されたバネ掛け片１９９に引っ掛けられている。この引上げバネ１９８によって昇降部材１９５が上方に付勢されている。
【０１１７】
プレート部材１９６は昇降部材１９５の左右両側に配置されていて、左右方向で同じ側に位置する側壁１９５ａの外側面に固着されている。
プレート部材１９６の前端側上部には、先頭のステープル４のクラウン部３の下面側に位置していて該ステープル４を受持可能な受け部２００が設けられている。この受け部２００の上面２００ａと前面２００ｂとの間のコーナー部２００ｃは円弧状に形成されている。
【０１１８】
左右各プレート部材１９６の外側面には、前記ガイド孔１９４に長手方向移動自在に嵌合したガイドローラ２０１が上下一対設けられている。このガイドローラ２０１は昇降部材１９５の左右側壁１９５ａ及び左右のプレート部材１９６を貫通した支持棒２０２に回転自在に支持されている。
これによって、ステープル受け１９２は前記支持ブラケット１９３に上下動自在で且つ下降するに従って後方移動するように支持されている。また、ステープル受け１９２は、上下移動範囲の上端位置で前上部（受け部２００）が、ステープル載置台１６９の前壁１６９ｃに形成された開口部１７８から前方に突出するように構成されている。
【０１１９】
ステープル挿通装置１６３は、図４０、図４１及び図４３に示すように、装置フレーム２０３と、ステープル連結体１７の先頭のステープル４を保持して用紙束５の上面にまで移送するステープル保持部材２０４と、該ステープル保持部材２０４によって保持されたステープル４を隣接するステープル４から切り離すと共に切り離されたステープル４の脚部２を綴じ孔６に挿入すべく該ステープル４を押し下げるステープル押下げ部材２０５とを有する。
【０１２０】
装置フレーム２０３は、前壁２０３ａと、この前壁２０３ａの左右両側縁から後方に延出された側壁２０３ｂとから構成されている。この装置フレーム２０３の左右側壁２０３ｂは前壁２０３ａの下端よりも下方に延出されている。また、装置フレーム２０３の左右側壁２０３ａはステープル保持装置１６２の固定フレーム１６６の左右側壁１６６ａに取付固定されている。また、装置フレーム２０３の左右側壁２０３ｂ間の下部には、該左右側壁２０３ｂを連結する連結プレート２０６が設けられていると共に、前記ブラケットフレーム１８１が連結プレート２０６の下側に位置していて左右側壁２０３ｂを連結するように設けられている。
【０１２１】
装置フレーム２０３の前壁２０３ａの左右方向中央部分には、上下方向に長い通過許容孔２０７，２０８が上下一対形成されている。上側の通過許容孔２０７を第１通過許容孔といい、下側の通過許容孔２０８を第２通過許容孔という。第２通過許容孔２０８は下方に開放状とされている。また、装置フレーム２０３の前壁２０３ａには、第２通過許容孔２０８の左右両側に位置するガイド孔２０９が上下方向に長く形成されている。
【０１２２】
装置フレーム２０３の前壁２０３ａの正面側の上端側には、左右一対の位置検出センサ２１０，２１１が設けられている。左右の位置検出センサ２１０，２１１は、装置フレーム２０３の前壁２０３ａの正面に固定されたセンサブラケット２１２に取付支持されている。左右センサブラケット２１２は、第１通過許容孔２０７の上端側の左右両側に振り分け配置されて設けられている。左側の位置検出センサ２１０を第１位置検出センサといい、右側の位置検出センサ２１１を第２位置検出センサという。
【０１２３】
前記ステープル保持部材２０４は、図４１、図４２及び図４３に示すように、前壁２０４ａと、この前壁２０４ａの左右側縁から垂直後方に延出されていて平行状に対向する左右側壁２０４ｂとを有している。このステープル保持部材２０４は、装置フレーム２０３の前壁２０３ａの背面側に配置されていると共に、ステープル載置台１６９に載置支持されたステープル連結体１７の先頭のステープル４の上方に位置している。
【０１２４】
このステープル保持部材２０４の前壁２０４ａの下端には、ステープル載置台１６９上のステープル連結体１７の前方への移動規制を行う位置規制部２１３が下方延出状に設けられている。本実施形態では、この位置規制部２１３は左右一対設けられている。また、ステープル保持部材２０４の前壁２０４ａの上下方向中途部には通過許容孔２１４（これを第３通過許容孔という）が上下方向に長く形成されている。
【０１２５】
この第３通過許容孔２１４の上端部には、図４４及び図４５に示すように、前壁２０４ａを切り起こすことによって形成された接当部２１５が前方突出状に形成され、この接当部２１５は前記第２通過許容孔２０８を挿通しており、該第２通過許容孔２０８内を上下動自在である。
また、図４４及び図４５に示すように、ステープル保持部材２０４の前壁２０４の上端には、上方に延出された延出壁２１６の左側縁から前方に延出されたバネ掛け片２１７が設けられている。このバネ掛け片２１７は前記第１通過許容孔２０７を挿通しており、該第１通過許容孔２０７内を上下動自在である。
【０１２６】
また、図４２に示すように、このバネ掛け片２１７の前縁上部から左方に第１被検出部２１８が延出され、該バネ掛け片２１７の前縁下部から右方に第２被検出部２１９が延出されている。
図４３に示すように、ステープル保持部材２０４の左右の各側壁２０４ｂは上下方向中途部で途切れており、この途切れた部分に前壁２０４ａから左右方向外方に延出する取付片２２０が設けられている。左右各取付片２２０には、ねじ込み部２２１が形成され、取付ネジ２２２を装置フレーム２０３の前壁２０３ａのガイド孔２０９を挿通して前記ねじ込み部２２１にねじ込むことにより、ステープル保持部材２０４が装置フレーム２０３に上下動自在に取り付けられている。
【０１２７】
また、このステープル保持部材２０４の左右の下側の側壁２０４ｂの下端側には、下方に向かうに従って左右方向外方に向けて傾斜する傾斜状に形成された脚部ガイド部２２３が設けられており、ステープル保持部材２０４のステープル４への外嵌時に、ステープル２０４にステープル保持部材２０４の側壁２０４ｂが引っかからないように考慮されている。
【０１２８】
図４２、図４３に示すように、このステープル保持部材２０４の上部にはステープル保持部材２０４を上下動自在にガイドする昇降ガイド２２４が設けられている。この昇降ガイド２２４は、ステープル保持部材２０４の前面上部に固定されていて該ステープル保持部材２０４から左右に突出する前壁２２４ａと、この前壁２２４ａの左右両側縁から後方に延出された左右側壁２２４ｂとを有する。
【０１２９】
この昇降ガイド２２４の前壁２２４ａ前面は装置フレーム２０３の前壁２０３ａ背面に摺動自在に接当し、左右側壁２２４ｂには装置フレーム２０３の側壁２０３ｂの内側面に摺動自在に接当する接当部材２２５が設けられている。
また、ステープル保持部材２０４の前面にも、装置フレーム２０３の前壁２０３ａ背面に摺動自在に接当する接当部材が設けられている。
【０１３０】
また、ステープル保持部材２０４の左右各側壁２０４ｂの背面側には、図４２及び図４５に示すように、該側壁２０４ｂ後端に接当してステープル保持部材２０４を上下動自在にガイドするガイドローラ２２６が配置されている。このガイドローラ２２６は前記ブラケットフレーム１８１に支持された支軸２２７に左右軸回りに回転自在に支持されている。
【０１３１】
ステープル押下げ部材２０５は、厚板材で形成され、ステープル保持部材２０４の左右側壁２０４ｂ間に上下動可能に配置されている。
図４５に示すように、このステープル押下げ部材２０５の上下方向中央部から下部寄りに規制部２２８が前方突出状に設けられている。この規制部２２８は、第３通過許容孔２１４及び第２通過許容孔２０８を挿通しており、該第３通過許容孔２１４内及び第２通過許容孔２０８内を上下動自在であり、また、ステープル保持部材２０４に設けた接当部２１５の下方に位置している。
【０１３２】
このステープル押下げ部材２０５の規制部２２８と、ステープル保持部材２０４のバネ掛け片２１７とにわたって引張りコイルバネからなるスプリング２２９が設けられ、このスプリング２２９によって、ステープル押下げ部材２０５に対してステープル保持部材２０４を引き下げるように該ステープル保持部材２０４が付勢されている。また、ステープル保持部材２０４の接当部２１５がステープル押下げ部材２０５の規制部２２８に上方から接当することにより、ステープル押下げ部材２０５に対するステープル保持部材２０４の下方移動が規制される。
【０１３３】
これによって、ステープル保持部材２０４がステープル押下げ部材２０５と一体的に上下動可能とされている。
また、図４５に示すように、ステープル押下げ部材２０５の背面には、ラック歯が上下方向に列設されてなるラック２３０が形成されている。このラック２３０には、ステープル４押下げ部材の背面に配置されたピニオン２３１が噛合している。このピニオン２３１を装置フレーム２０３に設けた電動モータからなる駆動モータ２３２（駆動手段）によって左右軸回りに回転駆動することにより、ステープル押下げ部材２０５が上下動される。
【０１３４】
前記駆動モータ２３２は、装置フレーム２０３の右側の側壁２０３ｂの外側面に取付固定され、その出力軸２３２ａがジョイント２３３を介して前記ピニオン２３１に連結されている。
前記ステープル挿通装置１６３にあっては、ステープル保持部材２０４及びステープル押下げ部材２０５が綴じ待機位置に位置するステープル４の上方に位置し且つ該ステープル保持部材２０４の位置規制部２１３によってステープル連結体１７の前方移動が規制された位置が、ステープル保持部材２０４及びステープル押下げ部材２０５のホーム位置である。
【０１３５】
図４０に示すように、ステープル保持部材２０４及びステープル押下げ部材２０５がこのホーム位置にある状態では、第１位置検出センサ２１０が第１被検出部２１８を検出しており、第２被検出部２１９が第２位置検出センサ２１１の下方側に位置している。また、図４４に示すように、ピニオン２３１はラック２３０の下端側に位置している。また、ステープル保持部材２０４のバネ掛け片２１７が第１通過許容孔２０７の上端側に位置し、ステープル保持部材２０４の接当部２１５とステープル押下げ部材２０５の規制部２２８とが第２通過許容孔２０８の上端側に位置し、図４０に示すように、ステープル保持部材２０４の取付片２２０に螺合された取付ネジ２２２がガイド孔２０９の上端側に位置している。
【０１３６】
一方、前記移送台１０は、ホーム位置から第１移送位置に移動して移送台１０上の用紙束５に左右一対の綴じ孔６が形成された後、第２移送位置に移動するが、この移送台１０が第２移送位置に移動した状態では、綴じ待機位置にあるステープル４の下方に用紙束５の綴じ孔６が位置する。
そして、移送台１０が第２移送位置に移動した後、駆動モータ２３２が駆動されて、ステープル保持部材２０４及びステープル押下げ部材２０５がホーム位置から一体的に下降する。
【０１３７】
このとき、ステープル保持部材２０４が、図４６（ａ）に示すホーム位置から下降すると、ステープル保持部材２０４が綴じ待機位置にあるステープル４に上方から外嵌し、図４６（ｂ）及び図４７（ａ）に示すように、ステープル４がステープル保持部材２０４の左右側壁２０４ｂ間に相対的に挿入し、該ステープル保持部材２０４の左右側壁２０４ｂによって、該ステープル４の左右脚部２がクラウン部３から垂直下方に延出する状態に弾性変形し、該ステープル４がその左右脚部２が平行状となったコ字形とされる。そして、図４６（ｃ）及び図４７（ｂ）に示すように、ステープル４がステープル保持部材２０４の左右側壁２０４ｂ間に完全に没入すると、ステープル押下げ部材２０５の下端２０５ａがクラウン部３の上面に接当する。このときまで、ステープル受け１９２は下がらない。
【０１３８】
また、綴じ待機位置にあるステープル４は、ステープル保持部材２０４が外嵌すると、ステープル４の左右脚部２が広がろうとする弾性復元力によって落下することなくステープル保持部材２０４の左右側壁２０４ｂ間に確実に保持される。また、ステープル４はステープル保持部材２０４の前壁２０４ａによって鉛直姿勢に保持される。
このステープル押下げ部材２０５の下端２０５ａがクラウン部３の上面に接当した状態から、ステープル押下げ部材２０５がさらに下降すると、図４８（ａ）に示すように、ステープル押下げ部材２０５によって綴じ待機位置のステープル４が押し下げられて、隣接するステープル４から切り離される。このとき、ステープル受け１９２は、ステープル押下げ部材２０５に押圧されてステープル４と共に下降する。
【０１３９】
ステープル受け１９２は、ステープル押下げ部材２０５に押し下げられるステープル４と共に下降しながら後方に移動し、図４８（ｂ）に示すように、ステープル押下げ部材２０５の通過経路から後方に退避し、その後、ステープル受け１９２の受け部２００前面２００ｂがステープル押下げ部材２０５の背面に接当する。
ステープル４を隣接したステープル４から切り離した後、ステープル保持部材２０４及びステープル押下げ部材２０５がさらに下降すると、図４９（ａ）に示すように、ステープル保持部材２０４の下端（本実施形態では、位置規制部２１３）が用紙束５上に接当する。これによって、ステープル４が用紙束５近傍に確実に移送され、綴じ孔６の真上にステープル４の脚部２が位置する。
【０１４０】
ステープル保持部材２０４の下端が用紙束５に接当すると、ステープル保持部材２０４の下降が停止する。その後、さらにステープル押下げ部材２０５が下降すると、スプリング２２９を伸ばしながら、ステープル保持部材２０４に対してステープル押下げ部材２０５が下降してステープル４を押下げ、図４９（ｂ）に示すように、該ステープル４の脚部２を綴じ孔６に挿通させる。このとき、ステープル４はステープル保持部材２０４の前壁２０４ａ及び左右側壁２０４ｂにガイドされ、ステープル４の脚部２を綴じ孔６に確実に挿入させることができる。
【０１４１】
ステープル４の脚部２を綴じ孔６に挿入した後は、後述する脚部曲げ装置１６４によって、ステープル４の脚部２の綴じ孔６から下方に突出した部分が折り曲げられるが、この間、ステープル押下げ部材２０５によってステープル４が用紙束５に押さえ付けられる。
本実施形態にあっては、駆動モータ２３２の動力を前記ピニオン２３１に伝達する動力伝達系統にトルクリミッタが設けられていて、ステープル押下げ部材２０５によってステープル４のクラウン部３を用紙束５上面に接当させた際に、駆動モータ２３２に過負荷が作用するのを防止している。
【０１４２】
また、ステープル押下げ部材２０５によって、ステープル４の脚部２を綴じ孔６に挿通すると共にクラウン部３を用紙束５の上面に接当させた後は、駆動モータ２３２は駆動停止されるが、綴じられる用紙束５の厚さは一定ではない（本実施形態では、前述したように、最大で５０ｍｍ、最小で１０ｍｍの厚さの用紙束５を綴じることができる）。
そこで、最小厚さの用紙束５を綴じる際において、ステープル押下げ部材２０５がホーム位置から下降してステープル４のクラウン部３を用紙束５の上面に接当させるまでの経過時間を基準にして、駆動モータ２３２の駆動時間を決定している。
【０１４３】
本実施形態では、最小厚さの用紙束５を綴じる際において、ステープル押下げ部材２０５がステープル４のクラウン部３を用紙束５の上面に接当させてから所定時間経過後、駆動モータ２３２が駆動停止するように、駆動モータ２３２の駆動時間が設定されている。
ステープル４の脚部２の折り曲げが完了すると、駆動モータ２３２が逆転してステープル押下げ部材２０５が引き上げられ、ステープル保持部材２０４及びステープル押下げ部材２０５がホーム位置に戻る。その際、ステープル受け１９２が元の位置に戻り、ステープル連結体１７がプッシャ１７９に押されて該ステープル連結体１７が位置規制部２１３に接当し、先頭のステープル４が綴じ待機位置に位置する。
【０１４４】
一方、前記ステープル保持部材２０４及びステープル押下げ部材２０５がホーム位置に位置した状態では、ステープル保持部材２０４及びステープル押下げ部材２０５は若干上方に移動可能であり、ステープル連結体１７の最後のステープル４が用紙束５を綴じるのに使用された後、ステープル保持部材２０４及びステープル押下げ部材２０５が上昇する際、該ステープル保持部材２０４及びステープル押下げ部材２０５は、ホーム位置を通り過ぎて、ホーム位置の若干上方の退避位置に移動する。この退避位置は、第２被検出部２１９を第２位置検出センサ２１１が検出することにより検出される。ステープル保持部材２０４及びステープル押下げ部材２０５が、この退避位置に位置することにより、ステープル連結体１７を補充してステープル載置台１６９を正規位置に戻したときに、ステープル保持部材２０４の位置規制部２１３が規制体１８４の接当片１８４ｅに干渉しないように構成されている。
【０１４５】
その後、用紙綴じ機１の運転が開始されると、前述したように、綴じ待機位置にあるステープル４を用紙束５の綴じ孔６に挿通させるべく、ステープル保持部材２０４が下降すると、該ステープル保持部材２０４の位置規制部２１３によって規制体１８４が押し下げられて、該規制体１８４が退避位置に戻る。その後は、ステープル保持部材２０４及びステープル押下げ部材２０５はホーム位置に戻る。
【０１４６】
脚部曲げ装置１６４は、図５０に示すように、ステープル４の脚部２を折り曲げる左右一対の脚部曲げローラ２３６と、この脚部曲げローラ２３６を支持して左右移動する可動フレーム２３７と、この可動フレーム２３７を左右方向に駆動するローラ駆動モータ２３８（駆動手段）とを有する。
前記可動フレーム２３７は、図５１に示すように、底壁２３７ａと、この底壁２３７ａの左右両側縁から上方に延びる側壁２３７ｂと、底壁２３７ａの前縁から上方に延びる前壁２３７ｃと、前壁２３７ｃの左右両側縁から後方に延出して左右方向で同じ側にある側壁２３７ｂに接続された後方延出壁２３７ｄとを有する。
【０１４７】
この可動フレーム２３７の左右両側には、各側壁２３７ｂを貫通するブッシュ２３９が取り付けられ、図５０に示すように、左右ブッシュ２３９を貫通するガイドロッド２４０に可動フレーム２３７が左右移動自在に支持されている。前記ガイドロッド２４０は、図３０に示すように、支持台４２に取付支持されている。
また、図５１に示すように、可動フレーム２３７には、底壁２３７ａの後縁から後方に延出されると共に左右方向外方に延出された延出壁２３７ｅの後縁から上方に立ち上がるラック２４２が設けられている。このラック２４２のラック歯は上方を向くように形成されると共に左右方向に列設されている。
【０１４８】
また、図５３に示すように、可動フレーム２３７の延出壁２３７ｅは、支持台４２に支持された支持ローラ２４１によって受持されている。
可動フレーム２３７の前面側には、底壁２３７ａの前端から前方に延出する左右一対の下限規制壁２４３と、前壁の上縁から前方に延出する上限規制壁２４４とが設けられている。
【０１４９】
また、可動フレーム２３７には、ラック２４２の背面の左右方向中途部に下方突出状に固定された第１被検出片２４５（第１被検出部）と、前記延出壁の右端側から後方に延出された延出部の後端から上方に延びる第２被検出片２４６（第２被検出部）とが設けられている。
可動フレーム２３７の前壁２３７ｃの左右方向中央部分には、脚部曲げローラ２３６を支持するローラブラケット２４７を取付支持するためのネジ孔からなる支持孔２４８が左右一対形成されている。
【０１５０】
前記ローラブラケット２４７は、図５２に示すように、後壁２４７ａと、この後壁２４７ａの左右方向の外方側の前方に配置された前壁２４７ｂと、この前壁２４７ｂ下端と後壁２４７ａ下端とを連結する底壁２４７ｃと、後壁２４７ａの左右方向内方側上端から後方に延出された接当壁２４７ｄとを有する。
このローラブラケット２４７には、後壁２４７ａの左右方向内端側に枢支孔２４９が貫通形成され、後壁２４７ａの左右方向外端側にはネジ孔２５０が形成され、前壁２４７ｂに挿通孔２５１が形成されている。前壁２４７ｂに形成された挿通孔２５１は後壁２４７ａに形成されたネジ孔２５０の前方に位置している。
【０１５１】
この左右ローラブラケット２４７は、可動フレーム２３７の前壁２３７ｃの前側に配置され、枢支孔２４９を挿通して支持孔２４８に螺合される段付きネジからなるブラケット枢軸２５２によって前後軸回りに上下揺動自在に支持されている。
前記ブラケット枢軸２５２には、ローラブラケット２４７の後壁２４７ａの後側においてねじりコイルバネからなるバネ部材２５３が套嵌され、該バネ部材２５３の一端側は前記接当壁２４７ｄに接当し、バネ部材２５３の他端側は前記下限規制壁２４３に接当していて、該バネ部材２５３の付勢力によってローラブラケット２４７が上方揺動する方向に付勢されている。
【０１５２】
ローラブラケット２４７は、接当壁２４７ｄが上限規制壁２４４に接当することによりその上方揺動が規制され、後壁２４７ａ下端が下限規制壁２４３に接当することによりその下方揺動が規制される。
脚部曲げローラ２３６は、ローラブラケット２４７の前壁２４７ｂと後壁２４７ａとの間に配置され、挿通孔２５１を挿通すると共に脚部曲げローラ２３６を貫通してネジ孔にねじ込まれる段付きネジからなるローラ枢軸２５４によって前後軸回りに回転自在に支持されている。
【０１５３】
前記ローラ駆動モータ２３８は、電動モータから構成されていて、支持台４２に取付固定され、その出力軸は前方に突出していて該出力軸に前記ラック２４２に噛合するピニオン２５５が取付固定されている。したがって、ローラ駆動モータ２３８によってピニオン２５５を回転駆動することにより、可動フレーム２３７が左右移動可能とされている。
前記可動フレーム２３７の上限規制壁２４４及びローラブラケット２４７の上部は前記カバーケース１１の天板２１のローラ通行穴２６から上方に突出していて、該ローラ通行穴２６内を左右に移動自在であり、左右脚部曲げローラ２３６の左右移動を許容する。また、可動フレーム２３７の上限規制壁２４４及びローラブラケット２４７の上部は移送台１０の下方に位置していて移送台１０の下方を左右方向に移動自在である。
【０１５４】
また、脚部折り曲げ装置は、図５３に示すように、脚部曲げローラ２３６（可動フレーム２３７）の移動範囲の始端位置を検出する第１位置検出センサ２５６と、脚部曲げローラ２３６の折曲げ準備位置を検出する第２位置検出センサ２５７と、脚部曲げローラ２３６（可動フレーム２３７）の移動範囲の終端位置を検出する第３位置検出センサ２５８とを有する。これら位置検出センサ２５６，２５７，２５８はリミットスイッチからなる。
【０１５５】
第１被検出片２４５の左側下端が第１位置検出センサ２５６の接触子に接当することにより脚部曲げローラ２３６が始端位置に位置することが検出され、第２被検出片２４６の上部が第２位置検出センサ２５７の接触子に接当することにより脚部曲げローラ２３６が折曲げ準備位置に位置することが検出され、第１被検出片２４５の右側下端が第３位置検出センサ２５８の接触子に接当することにより脚部曲げローラ２３６が終端位置に位置することが検出されるよう構成されている。前記各位置検出センサは支持台４２に取付固定されている。
【０１５６】
図５４に示すように、脚部曲げローラ２３６は、前記カバーケース１１の天板２１のローラ通行穴２６に対応する位置に設けられ、上部がローラ通行穴２６から上方に突出状とされている。ローラ通行穴２６は脚部曲げローラ２３６の移動範囲に対応する左右長さに形成されている。また、本実施形態では、脚部曲げローラ２３６の始端位置は、図５４（ａ）に実線で示すように、その移動範囲（ローラ通行穴２６）の左側とされ、脚部曲げローラ２３６の折曲げ準備位置は、図５４（ｂ）及び（ｃ）に示すように、その移動範囲（ローラ通行穴２６）の中央側とされ、脚部曲げローラ２３６の終端位置は、図５４（ａ）に仮想線で示すように、その移動範囲（ローラ通行穴２６）の右側とされている。
【０１５７】
用紙綴じ機１の運転前にあっては、脚部曲げローラ２３６は始端位置に位置する。
図５５に示すように、左側の脚部曲げローラ２３６の前端側には、前方に向かうに従って漸次縮径するテーパ状のガイド面２５９が形成されている。また、脚部曲げローラ２３６は、移送台１０に形成された挿通穴４１の下方に位置する際には、その上端側が挿通穴４１から若干上方に突出している。また、移送台１０がホーム位置に位置しているときには、ドリル受け１４３が挿通穴４１の左側に位置し、左側の脚部曲げローラ２３６が挿通穴４１の右側に位置している。
【０１５８】
用紙束５を移送台１０上に載置する際、用紙束５はその一部が挿通穴４１の上に位置するように移送台１０上に載置されるが、このとき、用紙束５を前から後方へとスライドさせて用紙束５の一部を挿通穴４１上に位置させるようにすると、用紙束５の下端側の用紙が挿通穴４１の後縁にひっかかってめくれるおそれがあるが、本実施形態では、移送台１０がホーム位置に位置するときには、左側の脚部曲げローラ２３６が挿通穴４１の右側に位置し且つ該左側の脚部曲げローラ２３６の上端側が挿通穴４１から若干上方に突出しているので、用紙束５は該左側の脚部曲げローラ２３６のガイド面２５９に案内されて若干持ち上げられながら、移送台１０の挿通穴４１後方へと押し込まれ、これによって、用紙束５の下面側の用紙が挿通穴４１の後縁にひっかかるのを防止している。
【０１５９】
図５４（ａ）に示すように、移送台１０がホーム位置に位置するときに用紙束５に１つ目の綴じ孔６が形成され、その後、図５４（ｂ）に示すように、用紙束５に２つ目の綴じ孔６を形成すべく、移送台１０が左方の第１移送位置に移動するが、このとき、脚部曲げローラ２３６は折曲げ準備位置に移動する。
また、用紙束５に２つ目の綴じ孔６が形成された後、図５４（ｃ）に示すように、移送台１０が右方の第２移送位置に移動するが、このとき、挿通穴４１が折曲げ準備位置に位置する脚部曲げローラ２３６に対応する位置にくる。
【０１６０】
この脚部曲げローラ２３６が折曲げ準備位置に位置し且つ移送台１０が第２移送位置に位置した状態で、ステープル挿通装置１６３によって、前述したように、ステープル４が押し下げられて用紙束５に形成された綴じ孔６に脚部２が挿通される。このとき、図５６（ａ）に示すように、左側の脚部２の左方に左側の脚部曲げローラ２３６が位置し、右側の脚部２の右方に右側の脚部曲げローラ２３６が位置している。
【０１６１】
そして、ステープル４の脚部２が綴じ孔６に挿通され、ステープル挿通装置１６３のステープル押下げ部材２０５によってステープル４が押さえられている状態で脚部曲げローラ２３６によって脚部２が折り曲げられる。
この脚部２の折曲げ動作を詳細に説明すると、先ず、図５６（ｂ）に示すように、脚部曲げローラ２３６が左方に移動し、左側の脚部曲げローラ２３６によって左側の脚部２が押圧されて折り曲げられる。このとき、左右の脚部曲げローラ２３６は少し右側に移動した後、左側の脚部２の折曲げ部分を通過して左側に戻る。これを、１又は複数回繰り返す。
【０１６２】
その後、図５６（ｃ）に示すように、脚部曲げローラ２３６が終端位置に位置する。この終端位置に移動することにより、左側の脚部曲げローラ２３６が左側の脚部２を用紙束５の下面に接着させるべく押圧する。また、この終端位置では左側の脚部曲げローラ２３６が右側の脚部２の近傍に位置する。
次に、図５６（ｄ）に示すように、脚部曲げローラ２３６は終端位置から左方に移動し、右側の脚部曲げローラ２３６によって右側の脚部２が押圧されて折り曲げられる。このときも、左右の脚部曲げローラ２３６は少し左側に移動した後、右側の脚部２の折曲げ部分を通過して右側に戻る動作を、１又は複数回繰り返す。
【０１６３】
その後、図５６（ｅ）に示すように、脚部曲げローラ２３６は始端位置に戻る。この始端位置に移動することにより、右側の脚部曲げローラ２３６が右側の脚部２を左側の脚部２の下面に接着させるべく（厚さの厚い用紙束５の場合は、右側の脚部曲げローラ２３６が右側の脚部２を用紙束５の下面に接着させるべく）押圧する。
以上のようにして、綴じ孔６に挿通された脚部２が折り曲げられて、用紙束５の綴じ動作が終了する。
【０１６４】
前記構成の脚部曲げ装置１６４にあっては、図５６（ｂ）及び（ｄ）に示すように、脚部曲げローラ２３６が脚部２を折り曲げた際に、該脚部２の折曲げられた部分を通過するように（該脚部２の折曲げられた部分を挟んで）脚部曲げローラ２３６が往復移動するので、脚部２を確実に折り曲げることができる。また、厚さの厚い用紙束５では、ステープル４の脚部２は、その下端側部分だけが綴じ孔６から突出するが、この厚さの厚い用紙束５の綴じ孔６に挿通された脚部２の下端側を折り曲げて該脚部２の下端側を用紙束５の下面に接着させる場合に、該脚部２を確実に接着させることができる。
【０１６５】
なお、移送台１０が第２移送位置に位置するときには、目隠しカバー３０の後方延出部３０ｂは、前述したように、ローラ通行穴２６の右側の下方位置から外れるので、可動フレーム２３７の上限規制壁２４４が目隠しカバー３０と干渉することはなく、可動フレーム２３７（脚部曲げローラ２３６）の左右移動を許容する。
【符号の説明】
【０１６６】
２    脚部
３    クラウン部
４    ステープル
５    用紙束
６    綴じ孔
７    穿孔装置
９    綴じ装置
１０    移送台
４１    挿通穴
１０３    穿孔ドリル
１０４    ドリルビット
１２０    ローラ押動部材
１２８    支持フレーム
１３２    バックアップ部材
１３９    揺動フレーム
１４３    ドリル受け
１４８    被押圧ローラ
１５０    受け板
１５１    受板ホルダ
１５５    係合歯
１５６    送り部材
１５９    噛合部
【図１】
2014097635.tif 000003
【図２】
2014097635.tif 000004
【図３】
2014097635.tif 000005
【図４】
2014097635.tif 000006
【図５】
2014097635.tif 000007
【図６】
2014097635.tif 000008
【図７】
2014097635.tif 000009
【図８】
2014097635.tif 000010
【図９】
2014097635.tif 000011
【図１０】
2014097635.tif 000012
【図１１】
2014097635.tif 000013
【図１２】
2014097635.tif 000014
【図１３】
2014097635.tif 000015
【図１４】
2014097635.tif 000016
【図１５】
2014097635.tif 000017
【図１６】
2014097635.tif 000018
【図１７】
2014097635.tif 000019
【図１８】
2014097635.tif 000020
【図１９】
2014097635.tif 000021
【図２０】
2014097635.tif 000022
【図２１】
2014097635.tif 000023
【図２２】
2014097635.tif 000024
【図２３】
2014097635.tif 000025
【図２４】
2014097635.tif 000026
【図２５】
2014097635.tif 000027
【図２６】
2014097635.tif 000028
【図２７】
2014097635.tif 000029
【図２８】
2014097635.tif 000030
【図２９】
2014097635.tif 000031
【図３０】
2014097635.tif 000032
【図３１】
2014097635.tif 000033
【図３２】
2014097635.tif 000034
【図３３】
2014097635.tif 000035
【図３４】
2014097635.tif 000036
【図３５】
2014097635.tif 000037
【図３６】
2014097635.tif 000038
【図３７】
2014097635.tif 000039
【図３８】
2014097635.tif 000040
【図３９】
2014097635.tif 000041
【図４０】
2014097635.tif 000042
【図４１】
2014097635.tif 000043
【図４２】
2014097635.tif 000044
【図４３】
2014097635.tif 000045
【図４４】
2014097635.tif 000046
【図４５】
2014097635.tif 000047
【図４６】
2014097635.tif 000048
【図４７】
2014097635.tif 000049
【図４８】
2014097635.tif 000050
【図４９】
2014097635.tif 000051
【図５０】
2014097635.tif 000052
【図５１】
2014097635.tif 000053
【図５２】
2014097635.tif 000054
【図５３】
2014097635.tif 000055
【図５４】
2014097635.tif 000056
【図５５】
2014097635.tif 000057
【図５６】
2014097635.tif 000058